(57)【要約】  本発明は、運転データ調節方法、装置、プログラム及び記録媒体に関し、情報処理技術分野に属する。当該方法は、テーマパックリスト表示命令が検出されると、アプリケーションインタフェースにテーマパックリストを表示するステップと、テーマパックリスト上のユーザの選択命令が検出されると、選択命令に基づいてユーザが選択したテーマパックを特定するステップと、テーマパック中の運転データを取得して、送風装置が運転データに従って送風するようにするステップとを含む。本発明は、ユーザの選択命令に基づいてユーザが選択したテーマパックを特定することにより、テーマパック中の運転データを取得して、送風装置が運転データに従って送風するようにする。ユーザにより互いに異なる種類のテーマパックを選択して、送風装置が、互いに異なるテーマパックに従って運転データを調節して、該当する送風方式に従って送風するようにすることにより、送風方式がより多くなり、且つ、ユーザの要求に従って送風することができる。このため、運転データを調節する時に対応される送風効果が良くなる。【選択図】        図１
2017521584.tif 000002
【特許請求の範囲】
【請求項１】
各テーマパックはそれぞれ予め編集された運転データを含み、テーマパックリストは少なくとも一つのテーマパックの紹介情報を含み、テーマパックリスト表示命令が検出されると、アプリケーションインタフェースに前記テーマパックリストを表示するステップと、
前記テーマパックリスト上のユーザの選択命令が検出されると、前記選択命令に基づいて前記ユーザが選択したテーマパックを特定するステップと、
前記テーマパック中の運転データを取得して、送風装置が、少なくとも風速及び風向角度が含まれた前記運転データに従って送風するようにするステップと
を含むことを特徴とする運転データ調節方法。
【請求項２】
前記アプリケーションインタフェースにテーマパックリストを表示する前に、
互いに異なる種類のテーマパック及び対応される紹介情報をダウンロードするステップと、
ダウンロードした各テーマパックの紹介情報に基づいて、テーマパックリストを生成するステップと
をさらに含むことを特徴とする請求項１に記載の運転データ調節方法。
【請求項３】
前記テーマパックリスト上のユーザの選択命令が検出されると、前記選択命令に基づいて前記ユーザが選択したテーマパックを特定するステップの後に、
前記ユーザが選択したテーマパックに対応される地域情報を取得するステップと、
前記地域情報に基づいて、前記送風装置の少なくとも温度調節装置含む補助装置を調節するステップと
をさらに含むことを特徴とする請求項１に記載の運転データ調節方法。
【請求項４】
前記地域情報に基づいて、補助装置を調節するステップは、
前記地域情報に対応される地域の少なくとも温度値を含む現在の天気情報を取得するステップと、
前記天気情報に基づいて、補助装置を調節するステップと
を含むことを特徴とする請求項３に記載の運転データ調節方法。
【請求項５】
前記地域情報に基づいて、前記送風装置の補助装置を調節するステップは、
前記補助装置が温度調節装置であると、前記温度調節装置に前記天気情報中の温度値を送信して、前記温度調節装置が前記温度値に基づいて温度を調節するようにするステップと、
前記補助装置が酸素生成装置であると、前記酸素生成装置に前記天気情報中の酸素濃度値を送信して、前記酸素生成装置が前記酸素濃度値に基づいて酸素濃度を調節するようにするステップと
を含むことを特徴とする請求項４に記載の運転データ調節方法。
【請求項６】
運転データ調節命令が検出されると、送風装置の風速及び風向角度を調節するための、運転データ調節インタフェースを表示するステップと、
前記運転データ調節インタフェース上のユーザの操作に基づいて、第１運転データを取得して、前記送風装置が前記第１運転データに従って送風するようにするステップと
を含むことを特徴とする運転データ調節方法。
【請求項７】
前記運転データ調節インタフェース上のユーザの操作に基づいて、第１運転データを取得するステップは、
前記運転データ調節インタフェースに、時間を示す横座標軸、運転データを示す縦座標軸、及び、履歴時間帯の運転データの変化情況を示すための第１曲線を含む運転データ座標軸を表示するステップと、
前記第１曲線に対するユーザのスライド操作が検出されると、前記スライド操作に基づいて前記第１曲線の軌跡を修正するステップと、
修正後の第１曲線軌跡に基づいて、第１運転データを取得するステップと
を含むことを特徴とする請求項６に記載の運転データ調節方法。
【請求項８】
前記運転データ調節インタフェースに、運転データ座標軸を表示する前に、
前記履歴時間帯の前記送風装置の運転データを取得するステップと、
前記履歴時間帯の運転データに基づいて、前記運転データ座標軸内に、運転データ変化情況を示すための第１曲線を製図するステップと
をさらに含むことを特徴とする請求項７に記載の運転データ調節方法。
【請求項９】
前記運転データ調節インタフェース上のユーザの操作に基づいて、第１運転データを取得するステップは、
前記運転データ調節インタフェースに、時間を示す横座標軸、及び、運転データを示す縦座標軸を含む運転データ座標軸を表示するステップと、
前記運転データ座標軸内のユーザのスライド操作が検出されると、前記スライド操作に基づいて、前記運転データ座標軸内に、未来時間帯の運転データの変化情況を示すための第２曲線を製図するステップと、
前記第２曲線の曲線軌跡に基づいて、第１運転データを取得するステップと
を含むことを特徴とする請求項６に記載の運転データ調節方法。
【請求項１０】
前記運転データ調節インタフェース上のユーザの操作に基づいて、第１運転データを取得するステップは、
前記送風装置の現在の第２運転データを取得するステップと、
前記運転データ調節インタフェースに前記第２運転データを表示するステップと、
前記第２運転データに対するユーザの修正操作が検出されると、前記第２運転データを修正して得られた第１運転データを取得するステップと
を含むことを特徴とする請求項６に記載の運転データ調節方法。
【請求項１１】
各テーマパックはそれぞれ予め編集された運転データを含み、テーマパックリストは少なくとも一つのテーマパックの紹介情報を含み、テーマパックリスト表示命令が検出されると、アプリケーションインタフェースに前記テーマパックリストを表示するための表示モジュールと、
前記テーマパックリスト上のユーザの選択命令が検出されると、前記選択命令に基づいて前記ユーザが選択したテーマパックを特定するための特定モジュールと、
前記テーマパック中の運転データを取得して、送風装置が、少なくとも風速及び風向角度が含まれた前記運転データに従って送風するようにするための第１取得モジュールと
を備えることを特徴とする運転データ調節装置。
【請求項１２】
互いに異なる種類のテーマパック及び対応される紹介情報をダウンロードするためのダウンロードモジュールと、
ダウンロードした各テーマパックの紹介情報に基づいて、テーマパックリストを生成するための生成モジュールと
をさらに備えることを特徴とする請求項１１に記載の運転データ調節装置。
【請求項１３】
前記ユーザが選択したテーマパックに対応される地域情報を取得するための第２取得モジュールと、
前記地域情報に基づいて、前記送風装置の少なくとも温度調節装置含む補助装置を調節するための調節モジュールと
をさらに備えることを特徴とする請求項１１に記載の運転データ調節装置。
【請求項１４】
前記調節モジュールは、
前記地域情報に対応される地域の少なくとも温度値を含む現在の天気情報を取得するための取得ユニットと、
前記天気情報に基づいて、補助装置を調節するための調節ユニットと
を備えることを特徴とする請求項１３に記載の運転データ調節装置。
【請求項１５】
前記調節ユニットは、前記補助装置が温度調節装置であると、前記温度調節装置に前記天気情報中の温度値を送信して、前記温度調節装置が前記温度値に基づいて温度を調節するようにし、前記補助装置が酸素生成装置であると、前記酸素生成装置に前記天気情報中の酸素濃度値を送信して、前記酸素生成装置が前記酸素濃度値に基づいて酸素濃度を調節するようにする
ことを特徴とする請求項１４に記載の運転データ調節装置。
【請求項１６】
運転データ調節命令が検出されると、送風装置の風速及び風向角度を調節するための、運転データ調節インタフェースを表示するための表示モジュールと、
前記運転データ調節インタフェース上のユーザの操作に基づいて、第１運転データを取得して、前記送風装置が前記第１運転データに従って送風するようにするための取得モジュールと
を備えることを特徴とする運転データ調節装置。
【請求項１７】
前記取得モジュールは、
前記運転データ調節インタフェースに、時間を示す横座標軸、運転データを示す縦座標軸、及び、履歴時間帯の運転データの変化情況を示すための第１曲線を含む運転データ座標軸を表示するための表示ユニットと、
前記第１曲線に対するユーザのスライド操作が検出されると、前記スライド操作に基づいて前記第１曲線の軌跡を修正するための修正ユニットと、
修正後の第１曲線軌跡に基づいて、第１運転データを取得するための取得ユニットと
を備えることを特徴とする請求項１６に記載の運転データ調節装置。
【請求項１８】
前記取得モジュールは、
前記履歴時間帯の前記送風装置の運転データを取得するための取得ユニットと、
前記履歴時間帯の運転データに基づいて、前記運転データ座標軸内に、運転データ変化情況を示すための第１曲線を製図するための製図ユニットと
をさらに備えることを特徴とする請求項１７に記載の運転データ調節装置。
【請求項１９】
前記取得モジュールは、前記運転データ調節インタフェースに、時間を示す横座標軸、及び、運転データを示す縦座標軸を含む運転データ座標軸を表示し、前記運転データ座標軸内のユーザのスライド操作が検出されると、前記スライド操作に基づいて、前記運転データ座標軸内に、未来時間帯の運転データの変化情況を示すための第２曲線を製図し、前記第２曲線の曲線軌跡に基づいて、第１運転データを取得する
ことを特徴とする請求項１６に記載の運転データ調節装置。
【請求項２０】
前記取得モジュールは、前記送風装置の現在の第２運転データを取得し、前記運転データ調節インタフェースに前記第２運転データを表示し、前記第２運転データに対するユーザの修正操作が検出されると、前記第２運転データを修正して得られた第１運転データを取得する
ことを特徴とする請求項１６に記載の運転データ調節装置。
【請求項２１】
プロセッサと、
前記プロセッサが実行可能な命令を記憶するためのメモリと
を備え、
前記プロセッサは、
各テーマパックはそれぞれ予め編集された運転データを含み、テーマパックリストは少なくとも一つのテーマパックの紹介情報を含み、テーマパックリスト表示命令が検出されると、アプリケーションインタフェースに前記テーマパックリストを表示し、
前記テーマパックリスト上のユーザの選択命令が検出されると、前記選択命令に基づいて前記ユーザが選択したテーマパックを特定し、
前記テーマパック中の運転データを取得して、送風装置が、少なくとも風速及び風向角度が含まれた前記運転データに従って送風するようにする
ように構成されることを特徴とする端末。
【請求項２２】
プロセッサと、
前記プロセッサが実行可能な命令を記憶するためのメモリと
を備え、
前記プロセッサは、
運転データ調節命令が検出されると、送風装置の風速及び風向角度を調節するための、運転データ調節インタフェースを表示し、
前記運転データ調節インタフェース上のユーザの操作に基づいて、第１運転データを取得して、前記送風装置が前記第１運転データに従って送風するようにする
ように構成されることを特徴とする端末。
【発明の詳細な説明】
【相互参照】
【０００１】
本願は、出願番号がＣＮ２０１５１０３２５４８４.１であって、出願日が２０１５年６月１２日である中国特許出願に基づいて優先権を主張し、当該中国特許出願のすべての内容を援用する。
【技術分野】
【０００２】
本発明は、情報処理技術分野に関し、特に、運転データ調節方法及び装置に関する。
【背景技術】
【０００３】
生活水準の向上に伴い、送風装置は、一般的な電化製品として、使用するユーザがますます多くなっている。ユーザは送風装置を使用する時に、一般的に、送風装置の運転データを調節する必要がある。ここで、送風装置は、扇風機、エアコン及び冷風機、等であってもよいし、運転データは、送風装置の風速及び風向角度を含んでもよい。従来に、運転データ調節方法は、予め設定した制御タイマによって、送風装置の運転データを定期的に調節することにより、送風装置が、運転データに従って定期的に送風するようにする。例えば、予め設定した制御タイマが、送風装置が、起動される時には低速回転し、５分後からは高速回転し、また５分後からは低速回転し、最後には回転を停止するようにする制御タイマであれば、制御タイマによって送風装置の運転データを定期的に調節して、送風装置が上記の送風方式に従って送風するようにすることができる。
【発明の概要】
【発明が解決しようとする課題】
【０００４】
本発明は、関連する技術に存在する問題を解決するために、運転データ調節方法及び装置を提供する。
【課題を解決するための手段】
【０００５】
本発明の実施例に係る第１の態様によると、運転データ調節方法を提供する。
【０００６】
当該方法は、
各テーマパックはそれぞれ予め編集された運転データを含み、テーマパックリストは少なくとも一つのテーマパックの紹介情報を含み、テーマパックリスト表示命令が検出されると、アプリケーションインタフェースに前記テーマパックリストを表示するステップと、
前記テーマパックリスト上のユーザの選択命令が検出されると、前記選択命令に基づいて前記ユーザが選択したテーマパックを特定するステップと、
前記テーマパック中の運転データを取得して、送風装置が、少なくとも風速及び風向角度が含まれた前記運転データに従って送風するようにするステップと
を含む。
【０００７】
第１の態様を基に、第１の態様の第１の実現可能な方式において、
前記アプリケーションインタフェースにテーマパックリストを表示する前に、
互いに異なる種類のテーマパック及び対応される紹介情報をダウンロードするステップと、
ダウンロードした各テーマパックの紹介情報に基づいて、テーマパックリストを生成するステップと
をさらに含む。
【０００８】
第１の態様を基に、第１の態様の第２の実現可能な方式において、
前記テーマパックリスト上のユーザの選択命令が検出されると、前記選択命令に基づいて前記ユーザが選択したテーマパックを特定するステップの後に、
前記ユーザが選択したテーマパックに対応される地域情報を取得するステップと、
前記地域情報に基づいて、前記送風装置の少なくとも温度調節装置含む補助装置を調節するステップと
をさらに含む。
【０００９】
第１の態様の第２の実現可能な方式を基に、第１の態様の第３の実現可能な方式において、
前記地域情報に基づいて、補助装置を調節するステップは、
前記地域情報に対応される地域の少なくとも温度値を含む現在の天気情報を取得するステップと、
前記天気情報に基づいて、補助装置を調節するステップと
を含む。
【００１０】
第１の態様の第３の実現可能な方式を基に、第１の態様の第４の実現可能な方式において、
前記地域情報に基づいて、前記送風装置の補助装置を調節するステップは、
前記補助装置が温度調節装置であると、前記温度調節装置に前記天気情報中の温度値を送信して、前記温度調節装置が前記温度値に基づいて温度を調節するようにするステップと、
前記補助装置が酸素生成装置であると、前記酸素生成装置に前記天気情報中の酸素濃度値を送信して、前記酸素生成装置が前記酸素濃度値に基づいて酸素濃度を調節するようにするステップと
を含む。
【００１１】
本発明の実施例に係る第２の態様によると、運転データ調節方法を提供する。
【００１２】
当該方法は、
運転データ調節命令が検出されると、送風装置の風速及び風向角度を調節するための、運転データ調節インタフェースを表示するステップと、
前記運転データ調節インタフェース上のユーザの操作に基づいて、第１運転データを取得して、前記送風装置が前記第１運転データに従って送風するようにするステップと
を含む。
【００１３】
第２の態様を基に、第２の態様の第１の実現可能な方式において、
前記運転データ調節インタフェース上のユーザの操作に基づいて、第１運転データを取得するステップは、
前記運転データ調節インタフェースに、時間を示す横座標軸、運転データを示す縦座標軸、及び、履歴時間帯の運転データの変化情況を示すための第１曲線を含む運転データ座標軸を表示するステップと、
前記第１曲線に対するユーザのスライド操作が検出されると、前記スライド操作に基づいて前記第１曲線の軌跡を修正するステップと、
修正後の第１曲線軌跡に基づいて、第１運転データを取得するステップと
を含む。
【００１４】
第２の態様の第１の実現可能な方式を基に、第２の態様の第２の実現可能な方式において、
前記運転データ調節インタフェースに、運転データ座標軸を表示する前に、
前記履歴時間帯の前記送風装置の運転データを取得するステップと、
前記履歴時間帯の運転データに基づいて、前記運転データ座標軸内に、運転データ変化情況を示すための第１曲線を製図するステップと
をさらに含む。
【００１５】
第２の態様を基に、第２の態様の第３の実現可能な方式において、
前記運転データ調節インタフェース上のユーザの操作に基づいて、第１運転データを取得するステップは、
前記運転データ調節インタフェースに、時間を示す横座標軸、及び、運転データを示す縦座標軸を含む運転データ座標軸を表示するステップと、
前記運転データ座標軸内のユーザのスライド操作が検出されると、前記スライド操作に基づいて、前記運転データ座標軸内に、未来時間帯の運転データの変化情況を示すための第２曲線を製図するステップと、
前記第２曲線の曲線軌跡に基づいて、第１運転データを取得するステップと
を含む。
【００１６】
第２の態様を基に、第２の態様の第４の実現可能な方式において、
前記運転データ調節インタフェース上のユーザの操作に基づいて、第１運転データを取得するステップは、
前記送風装置の現在の第２運転データを取得するステップと、
前記運転データ調節インタフェースに前記第２運転データを表示するステップと、
前記第２運転データに対するユーザの修正操作が検出されると、前記第２運転データを修正して得られた第１運転データを取得するステップと
を含む。
【００１７】
本発明の実施例に係る第３の態様によると、運転データ調節装置を提供する。
【００１８】
当該装置は、
各テーマパックはそれぞれ予め編集された運転データを含み、テーマパックリストは少なくとも一つのテーマパックの紹介情報を含み、テーマパックリスト表示命令が検出されると、アプリケーションインタフェースに前記テーマパックリストを表示するための表示モジュールと、
前記テーマパックリスト上のユーザの選択命令が検出されると、前記選択命令に基づいて前記ユーザが選択したテーマパックを特定するための特定モジュールと、
前記テーマパック中の運転データを取得して、送風装置が、少なくとも風速及び風向角度が含まれた前記運転データに従って送風するようにするための第１取得モジュールと
を備える。
【００１９】
第３の態様を基に、第３の態様の第１の実現可能な方式において、
当該装置は、
互いに異なる種類のテーマパック及び対応される紹介情報をダウンロードするためのダウンロードモジュールと、
ダウンロードした各テーマパックの紹介情報に基づいて、テーマパックリストを生成するための生成モジュールと
をさらに備える。
【００２０】
第３の態様を基に、第３の態様の第２の実現可能な方式において、
当該装置は、
前記ユーザが選択したテーマパックに対応される地域情報を取得するための第２取得モジュールと、
前記地域情報に基づいて、前記送風装置の少なくとも温度調節装置含む補助装置を調節するための調節モジュールと
をさらに備える。
【００２１】
第３の態様の第２の実現可能な方式を基に、第３の態様の第３の実現可能な方式において、
前記調節モジュールは、
前記地域情報に対応される地域の少なくとも温度値を含む現在の天気情報を取得するための取得ユニットと、
前記天気情報に基づいて、補助装置を調節するための調節ユニットと
を備える。
【００２２】
第３の態様の第３の実現可能な方式を基に、第３の態様の第４の実現可能な方式において、
前記調節ユニットは、前記補助装置が温度調節装置であると、前記温度調節装置に前記天気情報中の温度値を送信して、前記温度調節装置が前記温度値に基づいて温度を調節するようにし、前記補助装置が酸素生成装置であると、前記酸素生成装置に前記天気情報中の酸素濃度値を送信して、前記酸素生成装置が前記酸素濃度値に基づいて酸素濃度を調節するようにする。
【００２３】
本発明の実施例に係る第４の態様によると、運転データ調節装置を提供する。
【００２４】
当該装置は、
運転データ調節命令が検出されると、送風装置の風速及び風向角度を調節するための、運転データ調節インタフェースを表示するための表示モジュールと、
前記運転データ調節インタフェース上のユーザの操作に基づいて、第１運転データを取得して、前記送風装置が前記第１運転データに従って送風するようにするための取得モジュールと
を備える。
【００２５】
第４の態様を基に、第４の態様の第１の実現可能な方式において、
前記取得モジュールは、
前記運転データ調節インタフェースに、時間を示す横座標軸、運転データを示す縦座標軸、及び、履歴時間帯の運転データの変化情況を示すための第１曲線を含む運転データ座標軸を表示するための表示ユニットと、
前記第１曲線に対するユーザのスライド操作が検出されると、前記スライド操作に基づいて前記第１曲線の軌跡を修正するための修正ユニットと、
修正後の第１曲線軌跡に基づいて、第１運転データを取得するための取得ユニットと
を備える。
【００２６】
第４の態様の第１の実現可能な方式を基に、第４の態様の第２の実現可能な方式において、
前記取得モジュールは、
前記履歴時間帯の前記送風装置の運転データを取得するための取得ユニットと、
前記履歴時間帯の運転データに基づいて、前記運転データ座標軸内に、運転データ変化情況を示すための第１曲線を製図するための製図ユニットと
をさらに備える。
【００２７】
第４の態様を基に、第４の態様の第３の実現可能な方式において、
前記取得モジュールは、前記運転データ調節インタフェースに、時間を示す横座標軸、及び、運転データを示す縦座標軸を含む運転データ座標軸を表示し、前記運転データ座標軸内のユーザのスライド操作が検出されると、前記スライド操作に基づいて、前記運転データ座標軸内に、未来時間帯の運転データの変化情況を示すための第２曲線を製図し、前記第２曲線の曲線軌跡に基づいて、第１運転データを取得する。
【００２８】
第４の態様を基に、第４の態様の第４の実現可能な方式において、
前記取得モジュールは、前記送風装置の現在の第２運転データを取得し、前記運転データ調節インタフェースに前記第２運転データを表示し、前記第２運転データに対するユーザの修正操作が検出されると、前記第２運転データを修正して得られた第１運転データを取得する。
【００２９】
本発明の実施例に係る第５の態様によると、端末を提供する。
【００３０】
当該端末は、
プロセッサと、
前記プロセッサが実行可能な命令を記憶するためのメモリと
を備え、
前記プロセッサは、
各テーマパックはそれぞれ予め編集された運転データを含み、テーマパックリストは少なくとも一つのテーマパックの紹介情報を含み、テーマパックリスト表示命令が検出されると、アプリケーションインタフェースに前記テーマパックリストを表示し、
前記テーマパックリスト上のユーザの選択命令が検出されると、前記選択命令に基づいて前記ユーザが選択したテーマパックを特定し、
前記テーマパック中の運転データを取得して、送風装置が、少なくとも風速及び風向角度が含まれた前記運転データに従って送風するようにする
ように構成される。
【００３１】
本発明の実施例に係る第６の態様によると、端末を提供する。
【００３２】
当該端末は、
プロセッサと、
前記プロセッサが実行可能な命令を記憶するためのメモリと
を備え、
前記プロセッサは、
運転データ調節命令が検出されると、送風装置の風速及び風向角度を調節するための、運転データ調節インタフェースを表示し、
前記運転データ調節インタフェース上のユーザの操作に基づいて、第１運転データを取得して、前記送風装置が前記第１運転データに従って送風するようにする
ように構成される。
【発明の効果】
【００３３】
本発明の実施例が提供する構成の有益な効果は以下のとおりである。
【００３４】
アプリケーションインタフェースにテーマパックリストを表示して、テーマパックリスト上のユーザの選択命令が検出されると、選択命令に基づいてユーザが選択したテーマパックを特定し、テーマパック中の運転データを取得することにより、送風装置が運転データに従って送風するようにする。ユーザにより互いに異なる種類のテーマパックを選択して、送風装置が、互いに異なるテーマパックに従って運転データを調節して、該当する送風方式に従って送風するようにすることにより、送風方式がより多くなり、且つ、ユーザの要求に従って送風することができる。このため、運転データを調節する時に対応される送風効果が良くなる。
【００３５】
以上の統括な記述と以下の細部記述は、ただ例示的なものであり、本発明を制限するものではないと、理解するべきである。
【図面の簡単な説明】
【００３６】
ここでの図面は、明細書に合併されて本明細書の一部を構成して本発明に合致する実施例を示し、明細書とともに本発明の原理を説明するのに用いられる。
【図１】例示的な一実施例に係る運転データ調節方法を示すフローチャートである。
【図２】例示的な一実施例に係る運転データ調節方法を示すフローチャートである。
【図３】例示的な一実施例に係る運転データ調節方法を示すフローチャートである。
【図４】例示的な一実施例に係るテーマパックリストを示す模式図である。
【図５】例示的な一実施例に係るテーマパック下運転データを示す模式図である。
【図６】例示的な一実施例に係る運転データ調節方法を示すフローチャートである。
【図７】例示的な一実施例に係る運転データ調節インタフェースを示す模式図である。
【図８】例示的な一実施例に係る運転データ調節インタフェースを示す模式図である。
【図９】例示的な一実施例に係る運転データ調節インタフェースを示す模式図である。
【図１０】例示的な一実施例に係る運転データ調節装置の構成を示す模式図である。
【図１１】例示的な一実施例に係る運転データ調節装置の構成を示す模式図である。
【図１２】例示的な一実施例に係る運転データ調節装置の構成を示す模式図である。
【図１３】例示的な一実施例に係る調節モジュールの構成を示す模式図である。
【図１４】例示的な一実施例に係る運転データ調節装置の構成を示す模式図である。
【図１５】例示的な一実施例に係る取得モジュールの構成を示す模式図である。
【図１６】例示的な一実施例に係る取得モジュールの構成を示す模式図である。
【図１７】例示的な一実施例に係る端末を示すブロック図である。
【発明を実施するための形態】
【００３７】
ここで、例示的な実施例を詳細に説明する。また、説明中の例は、図面に示している。以下の記述において、図面を説明する際に特に説明しない場合、互いに異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３８】
図１は、例示的な一実施例に係る運転データ調節方法を示すフローチャートである。当該運転データ調節方法は、端末に用いられる。図１に示すように、当該運転データ調節方法は、以下のステップを含む。
【００３９】
ステップ１０１において、テーマパックリストは、少なくとも一つのテーマパックの紹介情報を含み、各テーマパックはそれぞれ予め編集された運転データを含み、テーマパックリスト表示命令が検出されると、アプリケーションインタフェースにテーマパックリストを表示する。
【００４０】
ステップ１０２において、テーマパックリスト上のユーザの選択命令が検出されると、選択命令に基づいてユーザが選択したテーマパックを特定する。
【００４１】
ステップ１０３において、テーマパック中の運転データを取得して、送風装置が、少なくとも風速及び風向角度が含まれた運転データに従って送風するようにする。
【００４２】
本発明の実施例によって提供する方法によると、アプリケーションインタフェースにテーマパックリストを表示して、テーマパックリスト上のユーザの選択命令が検出されると、選択命令に基づいてユーザが選択したテーマパックを特定し、テーマパック中の運転データを取得することにより、送風装置が運転データに従って送風するようにする。ユーザにより互いに異なる種類のテーマパックを選択して、送風装置が、互いに異なるテーマパックに従って運転データを調節して、該当する送風方式に従って送風するようにすることにより、送風方式がより多くなり、且つ、ユーザの要求に従って送風することができる。このため、運転データを調節する時に対応される送風効果が良くなる。
【００４３】
オプションの一実施例において、アプリケーションインタフェースにテーマパックリストを表示する前に、
互いに異なる種類のテーマパック及び対応される紹介情報をダウンロードするステップと、
ダウンロードした各テーマパックの紹介情報に基づいて、テーマパックリストを生成するステップと
をさらに含む。 
【００４４】
オプションの一実施例において、テーマパックリスト上のユーザの選択命令が検出されると、選択命令に基づいてユーザが選択したテーマパックを特定した後に、当該方法は、
ユーザが選択したテーマパックに対応される地域情報を取得するステップと、
地域情報に基づいて、送風装置の少なくとも温度調節装置を含む補助装置を調節するステップと
をさらに含む。
【００４５】
オプションの一実施例において、地域情報に基づいて、補助装置を調節するステップは、
地域情報に対応される地域の少なくとも温度値を含む現在の天気情報を取得するステップと、
天気情報に基づいて、補助装置を調節するステップと
を含む。
【００４６】
オプションの一実施例において、地域情報に基づいて、送風装置の補助装置を調節するステップは、
補助装置が温度調節装置であると、温度調節装置に天気情報中の温度値を送信して、温度調節装置が温度値に基づいて温度を調節するようにするステップと、
補助装置が酸素生成装置であると、酸素生成装置に天気情報中の酸素濃度値を送信して、酸素生成装置が酸素濃度値に基づいて酸素濃度を調節するようにするステップと
を含む。
【００４７】
上記の全てのオプションの構成は、任意に結合されて、本発明のオプションの実施例を構成することができ、ここでは、詳細に説明しない。
【００４８】
図２は、例示的な一実施例に係る運転データ調節方法を示すフローチャートである。当該運転データ調節方法は、端末に用いられる。図２に示すように、当該運転データ調節方法は、以下のステップを含む。
【００４９】
ステップ２０１において、運転データ調節命令が検出されると、送風装置の風速及び風向角度を調節するための運転データ調節インタフェースを表示する。
【００５０】
ステップ２０２において、運転データ調節インタフェース上のユーザの操作に基づいて、第１運転データを取得して、送風装置が第１運転データに従って送風するようにする。
【００５１】
本発明の実施例によって提供する方法によると、運転データ調節インタフェースを表示して、運転データ調節インタフェース上のユーザの操作に基づいて、第１運転データを取得することにより、送風装置が第１運転データに従って送風するようにする。ユーザにより運転データ調節インタフェース上で運転データを調節して、送風装置が調節後の運転データに従って該当する送風方式に従って送風することができて、送風方式がより多くなり、且つ、ユーザの要求に従って送風することができる。このため、運転データを調節する時に対応される送風効果が良くなる。
【００５２】
オプションの一実施例において、運転データ調節インタフェース上のユーザの操作に基づいて、第１運転データを取得するステップは、
運転データ調節インタフェースに、時間を示す横座標軸、運転データを示す縦座標軸、及び、履歴時間帯の運転データの変化情況を示すための第１曲線を含む運転データ座標軸を表示するステップと、
第１曲線に対するユーザのスライド操作が検出されると、スライド操作に基づいて第１曲線の軌跡を修正するステップと、
修正後の第１曲線軌跡に基づいて、第１運転データを取得するステップと
を含む。
【００５３】
オプションの一実施例において、運転データ調節インタフェースに運転データ座標軸を表示する前に、
履歴時間帯の送風装置の運転データを取得するステップと、
履歴時間帯の運転データに基づいて、運転データ座標軸内に運転データ変化情況を示すための第１曲線を製図するステップと
をさらに含む。
【００５４】
オプションの一実施例において、運転データ調節インタフェース上のユーザの操作に基づいて、第１運転データを取得するステップは、
運転データ調節インタフェースに、時間を示す横座標軸、及び、運転データを示す縦座標軸を含む運転データ座標軸を表示するステップと、
運転データ座標軸内のユーザのスライド操作が検出されると、スライド操作に基づいて、運転データ座標軸内に、未来時間帯の運転データの変化情況を示すための第２曲線を製図するステップと、
第２曲線の曲線軌跡に基づいて、第１運転データを取得するステップと
を含む。
【００５５】
オプションの一実施例において、運転データ調節インタフェース上のユーザの操作に基づいて、第１運転データを取得するステップは、
送風装置の現在の第２運転データを取得するステップと、
運転データ調節インタフェースに第２運転データを表示するステップと、
第２運転データに対するユーザの修正操作が検出されると、第２運転データを修正して得られた第１運転データを取得するステップと
を含む。
【００５６】
上記の全てのオプションの構成は、任意に結合されて、本発明のオプションの実施例を構成することができ、ここでは、詳細に説明しない。
【００５７】
図３は、例示的な一実施例に係る運転データ調節方法を示すフローチャートである。図３に示すように、当該運転データ調節方法は、端末に用いられ、以下のステップを含む。
【００５８】
ステップ３０１において、各テーマパックはそれぞれ予め編集された運転データを含み、運転データは少なくとも風速及び風向角度を含み、互いに異なる種類のテーマパック及び対応される紹介情報をダウンロードする。
【００５９】
ここで、運転データは、送風装置の風速、風向角度、等であってもよく、本実施例では、運転データの内容に対して具体的に限定しない。テーマパックの種類は、互いに異なる地域の気候によって分類してもよく、本実施例ではテーマパックの分類方法に対して具体的に限定しない。例えば、テーマパックを、互いに異なる地域の気候によって、「モルディブ風」テーマパック、「シベリア風」テーマパック、「スリランカ風」テーマパック及び「北極の風」テーマパック等に分類してもよい。互いに異なる地域の気候が異なるため、互いに異なる地域風がユーザに与える体験も互いに異なる。上記の内容に基づいて、互いに異なる種類のテーマパックは、該当する地域の風の関連パラメータである予め編集された運転データを含み、送風装置は、テーマパック中の運転データに従って送風する。即ち、互いに異なる地域の風を模倣し出して、ユーザが室内においても互いに異なる地域の風を体験するようにすることができる。
【００６０】
また、互いに異なる種類のテーマパック及び対応される紹介情報をダウンロードする時には、端末上の送風装置に関連する予め設置したＡＰＰを利用して自動的にダウンロードしてもよいし、ユーザにより予め設置したＡＰＰを利用して手動にダウンロードしてもよく、本実施例では互いに異なる種類のテーマパックをダウンロードする方法に対して具体的に限定しない。
【００６１】
端末はサーバからテーマパックをダウンロードしてもよく、サーバに保存されたテーマパックは、関連スタッフがアップロードしたものであってもよいし、ユーザにより作成して予め設置したＡＰＰを利用してアップロードしたものであってもよく、本実施例ではサーバ中のテーマパックのソースに対して具体的に限定しないことを説明する必要がある。テーマパックがユーザにより作成してサーバにアップロードしたものである場合、ユーザは、自身の好みによって互いに異なる種類のテーマパックを作成して、予め設置したＡＰＰを利用してサーバにアップロードしてもよい。サーバは端末からアップロードしたテーマパックを受信した後に、テーマパックを保存してもよい。サーバは、他のユーザが予め設置したＡＰＰにログインすると、テーマパックをダウンロードするためのオンラインストアを提供してもよい。他のユーザは、オンラインストアでユーザが作成したテーマパックをダウンロードすることができて、互いに異なるユーザの間のテーマパックの共有を実現できる。
【００６２】
ステップ３０２において、ダウンロードした各テーマパックの紹介情報に基づいて、少なくとも一つのテーマパックの紹介情報を含むテーマパックリストを生成する。
【００６３】
テーマパックリスト中の各項目の内容は、ダウンロードした各テーマパックの紹介情報、及び、各テーマパックをダウンロードするためのインタフェース・インタラクティブ要素を含んでもよく、本実施例ではテーマパックリスト中に含まれた内容に対して具体的に限定しない。ここで、テーマパックリスト中には、少なくとも一つのテーマパックの紹介情報が含まれてもよいし、ユーザは各テーマパックのインタフェース・インタラクティブ要素をクリックして互いに異なるテーマパックをダウンロードしてもよく、本実施例ではこれらに対して具体的に限定しない。例えば、図４に示すように、テーマパックリスト中には、三つの既にダウンロードしたテーマパックの紹介情報が含まれており、各テーマパックの右側にはダウンロードボタンが設置されており、ユーザは当該ダウンロードボタンをクリックして当該テーマパックをダウンロードすることができる。
【００６４】
ステップ３０３において、テーマパックリスト表示命令が検出されると、アプリケーションインタフェースにテーマパックリストを表示する。
【００６５】
ユーザは、テーマパックを選択しようとする時に、予め設置したＡＰＰを利用してテーマパックリスト表示命令を入力してもよい。端末は、テーマパックリスト表示命令が検出されると、アプリケーションインタフェースにテーマパックリストを表示してもよい。
【００６６】
ステップ３０４において、テーマパックリスト上のユーザの選択命令が検出されると、選択命令に基づいてユーザが選択したテーマパックを特定する。
【００６７】
ユーザは、アプリケーションインタフェースにテーマパックリストを表示された後に、需要によってテーマパックリストからテーマパックを選択してもよい。本ステップにてユーザが選択したテーマパックは、主に、続けるステップ中にて送風装置の送風方式を調節するために用いられるが、さらに、互いに異なる地域風の体験を模倣する際に、ユーザに互いに異なる送風方式が与える触覚を提供するほか、ユーザに例えば他の外部感覚である聴覚、視覚、等も提供できる。このため、送風装置のほか、他の補助装置を利用してユーザに他の感覚を与えて、ユーザにより良い風の体験を与えることができる。
【００６８】
上記の内容によって、本実施例は、テーマパックリスト上のユーザの選択命令が検出されると、選択命令に基づいてユーザが選択したテーマパックを特定するステップの後に、さらに、一種の補助装置の調節方法を提供した。当該方法は、ユーザが選択したテーマパックに対応される地域情報を取得するステップと、地域情報に基づいて、送風装置の補助装置を調節するステップとを含むが、これに限定されない。ここで、地域情報は、経度と緯度の座標情報であってもよく、本実施例ではこれらに対して具体的に限定しない。補助装置は、温度調節装置、音響装置及び動画再生装置を含んでもよいが、本実施例では補助装置の種類に対して具体的に限定しない。以上の補助装置によって、ユーザにそれぞれホットとコールド、聴覚、視覚上の体験を与えて、ユーザが互いに異なる地域の気候環境をよりよく体験できるようにする。
【００６９】
地域情報に基づいて、補助装置を調節する際に、地域情報に対応される地域の現在の天気情報を取得して、天気情報に基づいて、補助装置を調節してもよい。ここで、天気情報は、温度値、天気種類、等を含んでもよく、本実施例では天気情報の内容に対して具体的に限定しない。
【００７０】
補助装置が複数の種類があるため、天気情報に基づいて補助装置を調節する際に、互いに異なる補助装置は互いに異なる調節方式に対応される。ここで、補助装置が温度調節装置であると、温度調節装置に天気情報中の温度値を送信して、温度調節装置が温度値に基づいて温度を調節するようにし、補助装置が酸素生成装置であると、酸素生成装置に天気情報中の酸素濃度値を送信して、酸素生成装置が酸素濃度値に基づいて酸素濃度を調節するようにする。当然ながら、上記の調節方式のほか、他の補助装置に対して該当する調節方式があってもよく、本実施例ではこれらに対して具体的に限定しない。
【００７１】
例えば、端末は、ユーザが選択したテーマパックが「モルディブ風」テーマパックであると、例えば「モルディブ風」テーマパックに対応される地域情報であるモルディブの経度と緯度の座標情報を取得してもよい。端末は、モルディブの経度と緯度の座標情報に基づいて、ネットワークを介してモルディブの現在の天気情報を検索できる。天気情報が温度値であり、補助装置が温度調節装置である例を挙げると、温度値に基づいて温度調節装置を調節して、室内の温度をモルディブの温度に調節してもよい。また、モルディブがインド洋上の一つの島国であるため、補助装置中の動画再生装置を利用してビーチの美しい風景の動画を再生し、音響装置を利用して海風の音を再生し、酸素生成装置を利用して室内酸素濃度をモルディブの酸素濃度に調節することにより、ユーザがモルディブの風情を体験するようにすることができる。
【００７２】
ステップ３０５において、テーマパック中の運転データを取得して、送風装置が運転データに従って送風するようにする。
【００７３】
端末は、テーマパック中の運転データを取得した後に、送風装置にテーマパック中の運転データを送信してもよい。送風装置は、運転データを受信した後、運転データに従って送風することができる。ここで、送風装置は、ＷｉＦｉ（Ｗｉｒｅｌｅｓｓ Ｆｉｄｅｌｉｔｙ、ワイヤレス・フィディリティー）モジュールを含んで、当該ＷｉＦｉを利用して端末が送信する運転データを受信してもよく、本実施例ではこれらに対して具体的に限定しない。
【００７４】
また、送風装置は、運転データに従って送風した後に、ユーザが送風装置の現在の運転情況を了解するように、さらに、アプリケーションインタフェース中に現在に送風装置が使用するテーマ及び該当する運転データを表示してもよく、本実施例ではこれらに対して具体的に限定しない。例えば、図５に示すように、アプリケーションインタフェースに、送風装置が「モルディブ風」テーマの運転データを使用していることを表示されている。
【００７５】
本発明の実施例によって提供する方法によると、アプリケーションインタフェースにテーマパックリストを表示して、テーマパックリスト上のユーザの選択命令が検出されると、選択命令に基づいてユーザが選択したテーマパックを特定し、テーマパック中の運転データを取得することにより、送風装置が運転データに従って送風するようにする。ユーザにより互いに異なる種類のテーマパックを選択して、送風装置が、互いに異なるテーマパックに従って運転データを調節して、該当する送風方式に従って送風するようにすることにより、送風方式がより多くなり、且つ、ユーザの要求に従って送風することができる。このため、運転データを調節する時に対応される送風効果が良くなる。
【００７６】
また、送風装置により互いに異なる送風方式に従って送風するほか、補助装置を利用してユーザに互いに異なる感覚体験も与えることができ、ユーザが受風する際のユーザ体験を改善した。
【００７７】
図６は、例示的な一実施例に係る運転データ調節方法を示すフローチャートである。図６に示すように、当該運転データ調節方法は、端末に用いられ、以下のステップを含む。
【００７８】
ステップ６０１において、運転データ調節命令が検出されると、送風装置の風速及び風向角度を調節するための運転データ調節インタフェースを表示する。
【００７９】
ユーザは、送風装置に関連するＡＰＰにログインした後に、運転データ調節命令を入力しても良い。端末は、運転データ調節命令が検出された後に、運転データ調節インタフェースを表示してもよい。例えば、運転データ調節インタフェースは、図７に示したようであり、運転データを入力するための入力ボックスを含んでもよい。
【００８０】
ステップ６０２において、送風装置の現在の第２運転データを取得する。
【００８１】
端末は、送風装置に運転データ要求命令を送信してもよい。送風装置は、端末が送信した運転データ要求命令を受信した後に、端末に現在の第２運転データを返信することにより、端末が送風装置の現在の第２運転データを取得するようにしてもよい。ここで、第２運転データは、送風装置の現在の風速及び風向角度を含んでもよく、本実施例ではこれらに対して具体的に限定しない。
【００８２】
ステップ６０３において、運転データ調節インタフェースに第２運転データを表示する。
【００８３】
第２運転データを取得した後に、運転データ調節インタフェースに第２運転データを表示してもよい。例えば、図７に示すように、各入力ボックスに、それぞれ、該当する現在の運転データを表示する。ここで、風速は、５ｍ／ｓ、風向角度は、６０度である。
【００８４】
ステップ６０４において、第２運転データに対するユーザの修正操作が検出されると、第２運転データを修正して得られた第１運転データを取得して、送風装置が第１運転データに従って送風するようにする。
【００８５】
ユーザは、運転データ調節インタフェースに第２運転データが表示された後に、自分の需要によって、運転データ調節インタフェースにおいて第２運転データを修正してもよい。端末は、第２運転データに対するユーザの修正操作が検出されると、ユーザが第２運転データを修正して得られた第１運転データを取得する。端末は、第１運転データを送風装置に送信し、送風装置は第１運転データを受信した後に、第１運転データに従って送風する。ここで、送風装置中にＷｉＦｉモジュールを設置して、当該ＷｉＦｉモジュールを利用して端末が送信する運転データを受信してもよく、本実施例ではこれらに対して具体的に限定しない。
【００８６】
上記のステップ６０２乃至ステップ６０４は、端末により運転データ調節インタフェース上のユーザの操作に基づいて第１運転データを取得する過程であり、上記のユーザにより送風装置の現在の第２運転データを修正して第１運転データを取得する方法の以外に、本実施例は、さらに、以下のような二種の第１運転データを取得する方法を提供することを説明する必要がある。
【００８７】
第１の取得方法において、運転データ調節インタフェースに、時間を示す横座標軸、運転データを示す縦座標軸、及び、履歴時間帯の運転データの変化情況を示すための第１曲線を含む運転データ座標軸を表示して、第１曲線に対するユーザのスライド操作が検出されると、スライド操作に基づいて第１曲線の軌跡を修正し、修正後の第１曲線軌跡に基づいて、第１運転データを取得する。
【００８８】
第１曲線が示すのは履歴時間帯の運転データの変化情況であるため、第１曲線を得るために、運転データ調節インタフェースに運転データ座標軸を表示する前に、さらに、履歴時間帯の送風装置の運転データを取得して、履歴時間帯の運転データに基づいて、運転データ座標軸内に運転データ変化情況を示すための第１曲線を製図する。ここで、履歴時間帯の長さは、需要によって、例えば、３０分、１時間、等に設定してもよく、本実施例ではこれらに対して具体的に限定しない。また、運転データは複数の種類があるため、運転データ座標軸もこれに対応して複数の種類があり、端末は、各種の運転データ座標軸に、各種の運転データに対応される第１曲線を製図することができる。
【００８９】
運転データは複数の種類があるため、運転データ調節インタフェースに運転データ座標軸を表示する前に、ユーザは、さらに、需要によって表示命令を入力することにより、表示しようとする運転データ座標軸を特定してもよく、本実施例ではこれらに対して具体的に限定しないことを説明する必要がある。ここで、ユーザは、表示命令を入力することにより、互いに異なる運転データ座標軸を切り替えても良い。
【００９０】
例えば、ユーザが風速座標軸を表示するための表示命令を入力したら、運転データ調節インタフェースに風速座標軸を表示してもよい。図８に示したように。ここで、風速座標軸の横座標軸は履歴時間帯内のタイミングを示し、縦座標軸は各タイミングでの風速を示す。
【００９１】
ここで、運転データ調節インタフェースに風速座標軸を表示する前に、さらに、履歴時間帯の送風装置の風速を取得して、履歴時間帯の風速に基づいて、運転データ座標軸内に、履歴時間帯の風速変化情況を示すための第１曲線を製図してもよい。図８において、履歴時間帯の長さは３０分であると、図８中の第１曲線が表示するのはこの前の３０分間内の風速の変化情況を示す。
【００９２】
ユーザは、風速座標軸が表示された後に、風速座標軸中の第１曲線をスライドして、第１曲線の軌跡を修正してもよい。ここで、軌跡を修正した後の第１曲線は、未来３０分内の風速変化情況を示す。ユーザが入力した修正確認の命令が検出された後に、修正後の第１曲線軌跡に基づいて、未来３０分内の第１運転データを取得できる。
【００９３】
当然ながら、上記の過程は、風速を取得する過程のみを説明した。運転データは、風速のほか、風向角度等であってもよいため、風向角度を取得する必要があると、上記の過程を参考して、未来の一時間段内の風向角度を取得してもよい。
【００９４】
第２の取得方法において、運転データ調節インタフェースに、時間を示す横座標軸、及び、運転データを示す縦座標軸を含む運転データ座標軸を表示して、運転データ座標軸内のユーザのスライド操作が検出されると、スライド操作に基づいて、運転データ座標軸内に、未来時間帯の運転データの変化情況を示すための第２曲線を製図して、第２曲線の曲線軌跡に基づいて、第１運転データを取得してもよい。
【００９５】
運転データは複数の種類があるため、運転データ調節インタフェースに運転データ座標軸を表示する前に、ユーザは、さらに、需要によって表示命令を入力することにより、表示しようとする運転データ座標軸を特定してもよく、本実施例ではこれらに対して具体的に限定しないことを説明する必要がある。ここで、ユーザは、表示命令を入力することにより、互いに異なる運転データ座標軸を切り替えても良い。
【００９６】
ユーザは、運転データ調節インタフェースに運転データ座標軸が表示された後に、運転データ座標軸内にてスライドさせ、端末は、スライド操作に基づいて、運転データ座標軸内に、未来の一時間帯の運転データの変化情況を示すための第２曲線を製図してもよい。第２曲線の曲線軌跡に基づいて、未来の一段時間内の第１運転データを取得してもよい。
【００９７】
例えば、図９に示したように、ユーザが風速座標軸を表示するための表示命令を入力すれば、運転データ調節インタフェースに風速座標軸を表示してもよい。ここで、風速座標軸の横座標軸は、履歴時間帯のタイミングを示し、縦座標軸は、各タイミングの風速を示す。
【００９８】
ユーザは、風速座標軸が表示された後に、風速座標軸内でスライドして、第２曲線を製図してもよい。未来の時間帯の長さが３０分間の例を挙げると、第２曲線の曲線軌跡に基づいて、未来の３０分内の風速を取得してもよい。
【００９９】
当然ながら、上記の過程は、風速を取得する過程のみを説明した。運転データは、風速のほか、風向角度等であってもよいため、風向角度を取得する必要があると、上記の過程を参考して、未来の一時間段内の風向角度を取得してもよい。
【０１００】
上記の二種の取得方式によって第１運転データを取得した後に、送風装置に第１運転データを送信して、送風装置が第１運転データに従って送風するようにしてもよいことを説明する必要がある。
【０１０１】
本発明の実施例によって提供する方法によると、運転データ調節インタフェースを表示して、運転データ調節インタフェース上のユーザの操作に基づいて、第１運転データを取得することにより、送風装置が第１運転データに従って送風するようにする。ユーザにより運転データ調節インタフェース上で運転データを調節して、送風装置が調節後の運転データに従って該当する送風方式に従って送風することができて、送風方式がより多くなり、且つ、ユーザの要求に従って送風することができる。このため、運転データを調節する時に対応される送風効果が良くなる。
【０１０２】
図１０は、例示的な一実施例に係る運転データ調節装置の構成を示す模式図である、当該運転データ調節装置は、端末に用いられる。図１０を参照すると、当該装置は、表示モジュール１００１、特定モジュール１００２及び第１取得モジュール１００３を備える。
【０１０３】
当該表示モジュール１００１は、テーマパックリストは、少なくとも一つのテーマパックの紹介情報を含み、各テーマパックはそれぞれ予め編集された運転データを含み、テーマパックリスト表示命令が検出されると、アプリケーションインタフェースにテーマパックリストを表示する。
【０１０４】
当該特定モジュール１００２は、テーマパックリスト上のユーザの選択命令が検出されると、選択命令に基づいてユーザが選択したテーマパックを特定する。
【０１０５】
当該第１取得モジュール１００３は、テーマパック中の運転データを取得して、送風装置が、少なくとも風速及び風向角度が含まれた運転データに従って送風するようにする。
【０１０６】
一実施例において、図１１を参照すると、当該装置は、ダウンロードモジュール１００４及び生成モジュール１００５をさらに備える。
【０１０７】
当該ダウンロードモジュール１００４は、互いに異なる種類のテーマパック及び対応される紹介情報をダウンロードする。
【０１０８】
当該生成モジュール１００５は、ダウンロードした各テーマパックの紹介情報に基づいて、テーマパックリストを生成する。
【０１０９】
一実施例において、図１２を参照すると、当該装置は、第２取得モジュール１００６及び調節モジュール１００７をさらに備える。
【０１１０】
当該第２取得モジュール１００６は、ユーザが選択したテーマパックに対応される地域情報を取得する。
【０１１１】
当該調節モジュール１００７は、地域情報に基づいて、送風装置の少なくとも温度調節装置を含む補助装置を調節する。
【０１１２】
一実施例において、図１３を参照すると、当該調節モジュール１００７は、取得ユニット１００７１及び調節ユニット１００７２を備える。
【０１１３】
当該取得ユニット１００７１は、地域情報に対応される地域の少なくとも温度値を含む現在の天気情報を取得する。
【０１１４】
当該調節ユニット１００７２は、天気情報に基づいて、補助装置を調節する。
【０１１５】
一実施例において、当該調節ユニット１００７２、は、補助装置が温度調節装置であると、温度調節装置に天気情報中の温度値を送信して、温度調節装置が温度値に基づいて温度を調節するようにし、補助装置が酸素生成装置であると、酸素生成装置に天気情報中の酸素濃度値を送信して、酸素生成装置が酸素濃度値に基づいて酸素濃度を調節するようにする。
【０１１６】
本発明の実施例によって提供する装置によると、アプリケーションインタフェースにテーマパックリストを表示して、テーマパックリスト上のユーザの選択命令が検出されると、選択命令に基づいてユーザが選択したテーマパックを特定し、テーマパック中の運転データを取得することにより、送風装置が運転データに従って送風するようにする。ユーザにより互いに異なる種類のテーマパックを選択して、送風装置が、互いに異なるテーマパックに従って運転データを調節して、該当する送風方式に従って送風するようにすることにより、送風方式がより多くなり、且つ、ユーザの要求に従って送風することができる。このため、運転データを調節する時に対応される送風効果が良くなる。
【０１１７】
図１４は、例示的な一実施例に係る運転データ調節装置の構成を示す模式図である、当該運転データ調節装置は、端末に用いられる。図１４を参照すると、当該装置は、表示モジュール１４０１及び取得モジュール１４０２を備える。
【０１１８】
当該表示モジュール１４０１は、運転データ調節命令が検出されると、送風装置の風速及び風向角度を調節するための運転データ調節インタフェースを表示する。
【０１１９】
当該取得モジュール１４０２は、運転データ調節インタフェース上のユーザの操作に基づいて、第１運転データを取得して、送風装置が第１運転データに従って送風するようにする。
【０１２０】
一実施例において、図１５を参照すると、当該取得モジュール１４０２は、表示ユニット１４０２１、修正ユニット１４０２２及び取得ユニット１４０２３を備える。
【０１２１】
当該表示ユニット１４０２１は、運転データ調節インタフェースに、時間を示す横座標軸、運転データを示す縦座標軸、及び、履歴時間帯の運転データの変化情況を示すための第１曲線を含む運転データ座標軸を表示する。
【０１２２】
当該修正ユニット１４０２２は、第１曲線に対するユーザのスライド操作が検出されると、スライド操作に基づいて第１曲線の軌跡を修正する。
【０１２３】
当該取得ユニット１４０２３は、修正後の第１曲線軌跡に基づいて、第１運転データを取得する。
【０１２４】
一実施例において、図１６を参照すると、当該取得モジュール１４０２は、取得ユニット１４０２４及び製図ユニット１４０２５をさらに備える。
【０１２５】
当該取得ユニット１４０２４は、履歴時間帯の送風装置の運転データを取得する。
【０１２６】
当該製図ユニット１４０２５は、履歴時間帯の運転データに基づいて、運転データ座標軸内に運転データ変化情況を示すための第１曲線を製図する。
【０１２７】
一実施例において、当該取得モジュール１４０２は、運転データ調節インタフェースに、時間を示す横座標軸、及び、運転データを示す縦座標軸を含む運転データ座標軸を表示し、運転データ座標軸内のユーザのスライド操作が検出されると、スライド操作に基づいて、運転データ座標軸内に、未来時間帯の運転データの変化情況を示すための第２曲線を製図して、第２曲線の曲線軌跡に基づいて、第１運転データを取得する。
【０１２８】
一実施例において、当該取得モジュール１４０２は、送風装置の現在の第２運転データを取得し、運転データ調節インタフェースに第２運転データを表示して、第２運転データに対するユーザの修正操作が検出されると、第２運転データを修正して得られた第１運転データを取得する。
【０１２９】
本発明の実施例によって提供する装置によると、運転データ調節インタフェースを表示して、運転データ調節インタフェース上のユーザの操作に基づいて、第１運転データを取得することにより、送風装置が第１運転データに従って送風するようにする。ユーザにより運転データ調節インタフェース上で運転データを調節して、送風装置が調節後の運転データに従って該当する送風方式に従って送風することができて、送風方式がより多くなり、且つ、ユーザの要求に従って送風することができる。このため、運転データを調節する時に対応される送風効果が良くなる。
【０１３０】
上記の実施例の装置について、その各モジュールが実行する操作の具体的な形態は既に当該方法に関する実施例において詳細に説明したため、ここでは詳細に説明しない。
【０１３１】
図１７は、例示的な一実施例に係る端末１７００を示すブロック図である。例えば、端末１７００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【０１３２】
図１７を参照して、端末１７００は、プロセスアセンブリ１７０２、メモリ１７０４、電源アセンブリ１７０６、マルチメディアアセンブリ１７０８、オーディオアセンブリ１７１０、入出力（Ｉ／Ｏ）インターフェイス１７１２、センサアセンブリ１７１４、及び通信アセンブリ１７１６のような一つ以上のアセンブリを含んでよい。
【０１３３】
プロセスアセンブリ１７０２は、一般的には端末１７００の全体の動作を制御するものであり、例えば、表示、電話呼び出し、データ通信、カメラ動作、及び記録動作と関連する動作を制御する。プロセスアセンブリ１７０２は、一つ以上のプロセッサ１７２０を含み、これらによって命令を実行することにより、上記の方法の全部、或は一部のステップを実現するようにしてもよい。なお、プロセスアセンブリ１７０２は、一つ以上のモジュールを含み、これらによってプロセスアセンブリ１７０２と他のアセンブリの間のインタラクションを容易にするようにしてもよい。例えば、プロセスアセンブリ１７０２は、マルチメディアモジュールを含み、これらによってマルチメディアアセンブリ１７０８とプロセスアセンブリ１７０２の間のインタラクションを容易にするようにしてもよい。
【０１３４】
メモリ１７０４は、各種類のデータを記憶することにより端末１７００の動作を支援するように構成される。これらのデータの例は、端末１７００において動作するいずれのアプリケーションプログラム又は方法の命令、連絡対象データ、電話帳データ、メッセージ、画像、ビデオ等を含む。メモリ１７０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１３５】
電源アセンブリ１７０６は、端末１７００の多様なアセンブリに電力を供給する。電源アセンブリ１７０６は、電源管理システム、一つ以上の電源、及び端末１７００のための電力の生成、管理及び割り当てに関連付けられている他のアセンブリを含んでもよい。
【０１３６】
マルチメディアアセンブリ１７０８は、前記端末１７００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの動作の境界だけでなく、前記のタッチ、或はスワイプ操作に係る継続時間及び圧力も検出できる。上記の実施例において、マルチメディアアセンブリ１７０８は、一つのフロントカメラ、及び／又はリアカメラを含む。端末１７００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１３７】
オーディオアセンブリ１７１０は、オーディオ信号を入出力するように構成されてもよい。例えば、オーディオアセンブリ１７１０は、一つのマイク（ＭＩＣ）を含み、端末１７００が、例えば呼出しモード、記録モード、及び音声認識モード等の動作モードにある場合、マイクは外部のオーディオ信号を受信することができる。受信されたオーディオ信号は、さらにメモリ１７０４に記憶されたり、通信アセンブリ１７１６を介して送信されたりされる。上記の実施例において、オーディオアセンブリ１７１０は、オーディオ信号を出力するための一つのスピーカーをさらに含む。
【０１３８】
Ｉ／Ｏインターフェイス１７１２は、プロセスアセンブリ１７０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１３９】
センサアセンブリ１７１４は、端末１７００に各種の状態に対する評価を提供するための一つ以上のセンサを含む。例えば、センサアセンブリ１７１４は、端末１７００のＯＮ／ＯＦＦ状態、端末１７００のディスプレイとキーパッドのようなアセンブリの相対的な位置決めを検出できる。また、例えば、センサアセンブリ１７１４は、端末１７００、或は端末１７００の一つのアセンブリの位置変更、ユーザと端末１７００とが接触しているか否か、端末１７００の方位、又は加速／減速、端末１７００の温度の変化を検出できる。センサアセンブリ１７１４は、何れの物理的接触がない状態にて付近の物体の存在を検出するための近接センサを含んでもよい。センサアセンブリ１７１４は、撮影アプリケーションに適用するため、ＣＭＯＳ、又はＣＣＤ画像センサのような光センサを含んでもよい。上記の実施例において、当該センサアセンブリ１７１４は、加速度センサ、ジャイロスコープセンサ、磁気センサ、圧力センサ、及び温度センサをさらに含んでもよい。
【０１４０】
通信アセンブリ１７１６は、端末１７００と他の機器の間に有線、又は利便性のよい形態の通信を提供する。端末１７００は、例えばＷｉＦｉ（登録商標）、２Ｇ、３Ｇ、或はこれらの組み合わせのような、通信規格に基づいた無線ネットワークに接続されてもよい。一つの例示的な実施例において、通信アセンブリ１７１６は、放送チャンネルを介して外部の放送管理システムからの放送信号、又は放送に関連する情報を受信する。一つの例示的な実施例において、前記通信アセンブリ１７１６は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１４１】
例示的な実施例において、端末１７００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記の図１、図２、図３及び図６に対応される実施例中の任意の一実施例によって提供する運転データ調節方法を実行する。
【０１４２】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１４３】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【図１】
2017521584.tif 000003
【図２】
2017521584.tif 000004
【図３】
2017521584.tif 000005
【図４】
2017521584.tif 000006
【図５】
2017521584.tif 000007
【図６】
2017521584.tif 000008
【図７】
2017521584.tif 000009
【図８】
2017521584.tif 000010
【図９】
2017521584.tif 000011
【図１０】
2017521584.tif 000012
【図１１】
2017521584.tif 000013
【図１２】
2017521584.tif 000014
【図１３】
2017521584.tif 000015
【図１４】
2017521584.tif 000016
【図１５】
2017521584.tif 000017
【図１６】
2017521584.tif 000018
【図１７】
2017521584.tif 000019
【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
各テーマパックはそれぞれ予め編集された運転データを含み、テーマパックリストは少なくとも一つのテーマパックの紹介情報を含み、テーマパックリスト表示命令が検出されると、アプリケーションインタフェースに前記テーマパックリストを表示するステップと、
前記テーマパックリスト上のユーザの選択命令が検出されると、前記選択命令に基づいて前記ユーザが選択したテーマパックを特定するステップと、
前記テーマパック中の運転データを取得して、送風装置が、少なくとも風速及び風向角度が含まれた前記運転データに従って送風するようにするステップと
を含むことを特徴とする運転データ調節方法。
【請求項２】
前記アプリケーションインタフェースにテーマパックリストを表示する前に、
互いに異なる種類のテーマパック及び対応される紹介情報をダウンロードするステップと、
ダウンロードした各テーマパックの紹介情報に基づいて、テーマパックリストを生成するステップと
をさらに含むことを特徴とする請求項１に記載の運転データ調節方法。
【請求項３】
前記テーマパックリスト上のユーザの選択命令が検出されると、前記選択命令に基づいて前記ユーザが選択したテーマパックを特定するステップの後に、
前記ユーザが選択したテーマパックに対応される地域情報を取得するステップと、
前記地域情報に基づいて、前記送風装置の少なくとも温度調節装置含む補助装置を調節するステップと
をさらに含むことを特徴とする請求項１に記載の運転データ調節方法。
【請求項４】
前記地域情報に基づいて、補助装置を調節するステップは、
前記地域情報に対応される地域の少なくとも温度値を含む現在の天気情報を取得するステップと、
前記天気情報に基づいて、補助装置を調節するステップと
を含むことを特徴とする請求項３に記載の運転データ調節方法。
【請求項５】
前記地域情報に基づいて、前記送風装置の補助装置を調節するステップは、
前記補助装置が温度調節装置であると、前記温度調節装置に前記天気情報中の温度値を送信して、前記温度調節装置が前記温度値に基づいて温度を調節するようにするステップと、
前記補助装置が酸素生成装置であると、前記酸素生成装置に前記天気情報中の酸素濃度値を送信して、前記酸素生成装置が前記酸素濃度値に基づいて酸素濃度を調節するようにするステップと
を含むことを特徴とする請求項４に記載の運転データ調節方法。
【請求項６】
運転データ調節命令が検出されると、送風装置の風速及び風向角度を調節するための、運転データ調節インタフェースを表示するステップと、
前記運転データ調節インタフェース上のユーザの操作に基づいて、第１運転データを取得して、前記送風装置が前記第１運転データに従って送風するようにするステップと
を含むことを特徴とする運転データ調節方法。
【請求項７】
前記運転データ調節インタフェース上のユーザの操作に基づいて、第１運転データを取得するステップは、
前記運転データ調節インタフェースに、時間を示す横座標軸、運転データを示す縦座標軸、及び、履歴時間帯の運転データの変化情況を示すための第１曲線を含む運転データ座標軸を表示するステップと、
前記第１曲線に対するユーザのスライド操作が検出されると、前記スライド操作に基づいて前記第１曲線の軌跡を修正するステップと、
修正後の第１曲線軌跡に基づいて、第１運転データを取得するステップと
を含むことを特徴とする請求項６に記載の運転データ調節方法。
【請求項８】
前記運転データ調節インタフェースに、運転データ座標軸を表示する前に、
前記履歴時間帯の前記送風装置の運転データを取得するステップと、
前記履歴時間帯の運転データに基づいて、前記運転データ座標軸内に、運転データ変化情況を示すための第１曲線を製図するステップと
をさらに含むことを特徴とする請求項７に記載の運転データ調節方法。
【請求項９】
前記運転データ調節インタフェース上のユーザの操作に基づいて、第１運転データを取得するステップは、
前記運転データ調節インタフェースに、時間を示す横座標軸、及び、運転データを示す縦座標軸を含む運転データ座標軸を表示するステップと、
前記運転データ座標軸内のユーザのスライド操作が検出されると、前記スライド操作に基づいて、前記運転データ座標軸内に、未来時間帯の運転データの変化情況を示すための第２曲線を製図するステップと、
前記第２曲線の曲線軌跡に基づいて、第１運転データを取得するステップと
を含むことを特徴とする請求項６に記載の運転データ調節方法。
【請求項１０】
前記運転データ調節インタフェース上のユーザの操作に基づいて、第１運転データを取得するステップは、
前記送風装置の現在の第２運転データを取得するステップと、
前記運転データ調節インタフェースに前記第２運転データを表示するステップと、
前記第２運転データに対するユーザの修正操作が検出されると、前記第２運転データを修正して得られた第１運転データを取得するステップと
を含むことを特徴とする請求項６に記載の運転データ調節方法。
【請求項１１】
各テーマパックはそれぞれ予め編集された運転データを含み、テーマパックリストは少なくとも一つのテーマパックの紹介情報を含み、テーマパックリスト表示命令が検出されると、アプリケーションインタフェースに前記テーマパックリストを表示するための表示モジュールと、
前記テーマパックリスト上のユーザの選択命令が検出されると、前記選択命令に基づいて前記ユーザが選択したテーマパックを特定するための特定モジュールと、
前記テーマパック中の運転データを取得して、送風装置が、少なくとも風速及び風向角度が含まれた前記運転データに従って送風するようにするための第１取得モジュールと
を備えることを特徴とする運転データ調節装置。
【請求項１２】
互いに異なる種類のテーマパック及び対応される紹介情報をダウンロードするためのダウンロードモジュールと、
ダウンロードした各テーマパックの紹介情報に基づいて、テーマパックリストを生成するための生成モジュールと
をさらに備えることを特徴とする請求項１１に記載の運転データ調節装置。
【請求項１３】
前記ユーザが選択したテーマパックに対応される地域情報を取得するための第２取得モジュールと、
前記地域情報に基づいて、前記送風装置の少なくとも温度調節装置含む補助装置を調節するための調節モジュールと
をさらに備えることを特徴とする請求項１１に記載の運転データ調節装置。
【請求項１４】
前記調節モジュールは、
前記地域情報に対応される地域の少なくとも温度値を含む現在の天気情報を取得するための取得ユニットと、
前記天気情報に基づいて、補助装置を調節するための調節ユニットと
を備えることを特徴とする請求項１３に記載の運転データ調節装置。
【請求項１５】
前記調節ユニットは、前記補助装置が温度調節装置であると、前記温度調節装置に前記天気情報中の温度値を送信して、前記温度調節装置が前記温度値に基づいて温度を調節するようにし、前記補助装置が酸素生成装置であると、前記酸素生成装置に前記天気情報中の酸素濃度値を送信して、前記酸素生成装置が前記酸素濃度値に基づいて酸素濃度を調節するようにする
ことを特徴とする請求項１４に記載の運転データ調節装置。
【請求項１６】
運転データ調節命令が検出されると、送風装置の風速及び風向角度を調節するための、運転データ調節インタフェースを表示するための表示モジュールと、
前記運転データ調節インタフェース上のユーザの操作に基づいて、第１運転データを取得して、前記送風装置が前記第１運転データに従って送風するようにするための取得モジュールと
を備えることを特徴とする運転データ調節装置。
【請求項１７】
前記取得モジュールは、
前記運転データ調節インタフェースに、時間を示す横座標軸、運転データを示す縦座標軸、及び、履歴時間帯の運転データの変化情況を示すための第１曲線を含む運転データ座標軸を表示するための表示ユニットと、
前記第１曲線に対するユーザのスライド操作が検出されると、前記スライド操作に基づいて前記第１曲線の軌跡を修正するための修正ユニットと、
修正後の第１曲線軌跡に基づいて、第１運転データを取得するための取得ユニットと
を備えることを特徴とする請求項１６に記載の運転データ調節装置。
【請求項１８】
前記取得モジュールは、
前記履歴時間帯の前記送風装置の運転データを取得するための取得ユニットと、
前記履歴時間帯の運転データに基づいて、前記運転データ座標軸内に、運転データ変化情況を示すための第１曲線を製図するための製図ユニットと
をさらに備えることを特徴とする請求項１７に記載の運転データ調節装置。
【請求項１９】
前記取得モジュールは、前記運転データ調節インタフェースに、時間を示す横座標軸、及び、運転データを示す縦座標軸を含む運転データ座標軸を表示し、前記運転データ座標軸内のユーザのスライド操作が検出されると、前記スライド操作に基づいて、前記運転データ座標軸内に、未来時間帯の運転データの変化情況を示すための第２曲線を製図し、前記第２曲線の曲線軌跡に基づいて、第１運転データを取得する
ことを特徴とする請求項１６に記載の運転データ調節装置。
【請求項２０】
前記取得モジュールは、前記送風装置の現在の第２運転データを取得し、前記運転データ調節インタフェースに前記第２運転データを表示し、前記第２運転データに対するユーザの修正操作が検出されると、前記第２運転データを修正して得られた第１運転データを取得する
ことを特徴とする請求項１６に記載の運転データ調節装置。
【請求項２１】
プロセッサと、
前記プロセッサが実行可能な命令を記憶するためのメモリと
を備え、
前記プロセッサは、
各テーマパックはそれぞれ予め編集された運転データを含み、テーマパックリストは少なくとも一つのテーマパックの紹介情報を含み、テーマパックリスト表示命令が検出されると、アプリケーションインタフェースに前記テーマパックリストを表示し、
前記テーマパックリスト上のユーザの選択命令が検出されると、前記選択命令に基づいて前記ユーザが選択したテーマパックを特定し、
前記テーマパック中の運転データを取得して、送風装置が、少なくとも風速及び風向角度が含まれた前記運転データに従って送風するようにする
ように構成されることを特徴とする端末。
【請求項２２】
プロセッサと、
前記プロセッサが実行可能な命令を記憶するためのメモリと
を備え、
前記プロセッサは、
運転データ調節命令が検出されると、送風装置の風速及び風向角度を調節するための、運転データ調節インタフェースを表示し、
前記運転データ調節インタフェース上のユーザの操作に基づいて、第１運転データを取得して、前記送風装置が前記第１運転データに従って送風するようにする
ように構成されることを特徴とする端末。
【請求項２３】
プロセッサに実行されることにより、請求項１から請求項１０のいずれか１項に記載の運転データ調節方法を実現することを特徴とするプログラム。
【請求項２４】
請求項２３に記載のプログラムが記録された記録媒体。
【手続補正２】
【補正対象書類名】明細書
【補正対象項目名】全文
【補正方法】変更
【補正の内容】
【発明の詳細な説明】
【相互参照】
【０００１】
本願は、出願番号がＣＮ２０１５１０３２５４８４.１であって、出願日が２０１５年６月１２日である中国特許出願に基づいて優先権を主張し、当該中国特許出願のすべての内容を援用する。
【技術分野】
【０００２】
本発明は、情報処理技術分野に関し、特に、運転データ調節方法、装置、プログラム及び記録媒体に関する。
【背景技術】
【０００３】
生活水準の向上に伴い、送風装置は、一般的な電化製品として、使用するユーザがますます多くなっている。ユーザは送風装置を使用する時に、一般的に、送風装置の運転データを調節する必要がある。ここで、送風装置は、扇風機、エアコン及び冷風機、等であってもよいし、運転データは、送風装置の風速及び風向角度を含んでもよい。従来に、運転データ調節方法は、予め設定した制御タイマによって、送風装置の運転データを定期的に調節することにより、送風装置が、運転データに従って定期的に送風するようにする。例えば、予め設定した制御タイマが、送風装置が、起動される時には低速回転し、５分後からは高速回転し、また５分後からは低速回転し、最後には回転を停止するようにする制御タイマであれば、制御タイマによって送風装置の運転データを定期的に調節して、送風装置が上記の送風方式に従って送風するようにすることができる。
【発明の概要】
【発明が解決しようとする課題】
【０００４】
本発明は、関連する技術に存在する問題を解決するために、運転データ調節方法、装置、プログラム及び記録媒体を提供する。
【課題を解決するための手段】
【０００５】
本発明の実施例に係る第１の態様によると、運転データ調節方法を提供する。
【０００６】
当該方法は、
各テーマパックはそれぞれ予め編集された運転データを含み、テーマパックリストは少なくとも一つのテーマパックの紹介情報を含み、テーマパックリスト表示命令が検出されると、アプリケーションインタフェースに前記テーマパックリストを表示するステップと、
前記テーマパックリスト上のユーザの選択命令が検出されると、前記選択命令に基づいて前記ユーザが選択したテーマパックを特定するステップと、
前記テーマパック中の運転データを取得して、送風装置が、少なくとも風速及び風向角度が含まれた前記運転データに従って送風するようにするステップと
を含む。
【０００７】
第１の態様を基に、第１の態様の第１の実現可能な方式において、
前記アプリケーションインタフェースにテーマパックリストを表示する前に、
互いに異なる種類のテーマパック及び対応される紹介情報をダウンロードするステップと、
ダウンロードした各テーマパックの紹介情報に基づいて、テーマパックリストを生成するステップと
をさらに含む。
【０００８】
第１の態様を基に、第１の態様の第２の実現可能な方式において、
前記テーマパックリスト上のユーザの選択命令が検出されると、前記選択命令に基づいて前記ユーザが選択したテーマパックを特定するステップの後に、
前記ユーザが選択したテーマパックに対応される地域情報を取得するステップと、
前記地域情報に基づいて、前記送風装置の少なくとも温度調節装置含む補助装置を調節するステップと
をさらに含む。
【０００９】
第１の態様の第２の実現可能な方式を基に、第１の態様の第３の実現可能な方式において、
前記地域情報に基づいて、補助装置を調節するステップは、
前記地域情報に対応される地域の少なくとも温度値を含む現在の天気情報を取得するステップと、
前記天気情報に基づいて、補助装置を調節するステップと
を含む。
【００１０】
第１の態様の第３の実現可能な方式を基に、第１の態様の第４の実現可能な方式において、
前記地域情報に基づいて、前記送風装置の補助装置を調節するステップは、
前記補助装置が温度調節装置であると、前記温度調節装置に前記天気情報中の温度値を送信して、前記温度調節装置が前記温度値に基づいて温度を調節するようにするステップと、
前記補助装置が酸素生成装置であると、前記酸素生成装置に前記天気情報中の酸素濃度値を送信して、前記酸素生成装置が前記酸素濃度値に基づいて酸素濃度を調節するようにするステップと
を含む。
【００１１】
本発明の実施例に係る第２の態様によると、運転データ調節方法を提供する。
【００１２】
当該方法は、
運転データ調節命令が検出されると、送風装置の風速及び風向角度を調節するための、運転データ調節インタフェースを表示するステップと、
前記運転データ調節インタフェース上のユーザの操作に基づいて、第１運転データを取得して、前記送風装置が前記第１運転データに従って送風するようにするステップと
を含む。
【００１３】
第２の態様を基に、第２の態様の第１の実現可能な方式において、
前記運転データ調節インタフェース上のユーザの操作に基づいて、第１運転データを取得するステップは、
前記運転データ調節インタフェースに、時間を示す横座標軸、運転データを示す縦座標軸、及び、履歴時間帯の運転データの変化情況を示すための第１曲線を含む運転データ座標軸を表示するステップと、
前記第１曲線に対するユーザのスライド操作が検出されると、前記スライド操作に基づいて前記第１曲線の軌跡を修正するステップと、
修正後の第１曲線軌跡に基づいて、第１運転データを取得するステップと
を含む。
【００１４】
第２の態様の第１の実現可能な方式を基に、第２の態様の第２の実現可能な方式において、
前記運転データ調節インタフェースに、運転データ座標軸を表示する前に、
前記履歴時間帯の前記送風装置の運転データを取得するステップと、
前記履歴時間帯の運転データに基づいて、前記運転データ座標軸内に、運転データ変化情況を示すための第１曲線を製図するステップと
をさらに含む。
【００１５】
第２の態様を基に、第２の態様の第３の実現可能な方式において、
前記運転データ調節インタフェース上のユーザの操作に基づいて、第１運転データを取得するステップは、
前記運転データ調節インタフェースに、時間を示す横座標軸、及び、運転データを示す縦座標軸を含む運転データ座標軸を表示するステップと、
前記運転データ座標軸内のユーザのスライド操作が検出されると、前記スライド操作に基づいて、前記運転データ座標軸内に、未来時間帯の運転データの変化情況を示すための第２曲線を製図するステップと、
前記第２曲線の曲線軌跡に基づいて、第１運転データを取得するステップと
を含む。
【００１６】
第２の態様を基に、第２の態様の第４の実現可能な方式において、
前記運転データ調節インタフェース上のユーザの操作に基づいて、第１運転データを取得するステップは、
前記送風装置の現在の第２運転データを取得するステップと、
前記運転データ調節インタフェースに前記第２運転データを表示するステップと、
前記第２運転データに対するユーザの修正操作が検出されると、前記第２運転データを修正して得られた第１運転データを取得するステップと
を含む。
【００１７】
本発明の実施例に係る第３の態様によると、運転データ調節装置を提供する。
【００１８】
当該装置は、
各テーマパックはそれぞれ予め編集された運転データを含み、テーマパックリストは少なくとも一つのテーマパックの紹介情報を含み、テーマパックリスト表示命令が検出されると、アプリケーションインタフェースに前記テーマパックリストを表示するための表示モジュールと、
前記テーマパックリスト上のユーザの選択命令が検出されると、前記選択命令に基づいて前記ユーザが選択したテーマパックを特定するための特定モジュールと、
前記テーマパック中の運転データを取得して、送風装置が、少なくとも風速及び風向角度が含まれた前記運転データに従って送風するようにするための第１取得モジュールと
を備える。
【００１９】
第３の態様を基に、第３の態様の第１の実現可能な方式において、
当該装置は、
互いに異なる種類のテーマパック及び対応される紹介情報をダウンロードするためのダウンロードモジュールと、
ダウンロードした各テーマパックの紹介情報に基づいて、テーマパックリストを生成するための生成モジュールと
をさらに備える。
【００２０】
第３の態様を基に、第３の態様の第２の実現可能な方式において、
当該装置は、
前記ユーザが選択したテーマパックに対応される地域情報を取得するための第２取得モジュールと、
前記地域情報に基づいて、前記送風装置の少なくとも温度調節装置含む補助装置を調節するための調節モジュールと
をさらに備える。
【００２１】
第３の態様の第２の実現可能な方式を基に、第３の態様の第３の実現可能な方式において、
前記調節モジュールは、
前記地域情報に対応される地域の少なくとも温度値を含む現在の天気情報を取得するための取得ユニットと、
前記天気情報に基づいて、補助装置を調節するための調節ユニットと
を備える。
【００２２】
第３の態様の第３の実現可能な方式を基に、第３の態様の第４の実現可能な方式において、
前記調節ユニットは、前記補助装置が温度調節装置であると、前記温度調節装置に前記天気情報中の温度値を送信して、前記温度調節装置が前記温度値に基づいて温度を調節するようにし、前記補助装置が酸素生成装置であると、前記酸素生成装置に前記天気情報中の酸素濃度値を送信して、前記酸素生成装置が前記酸素濃度値に基づいて酸素濃度を調節するようにする。
【００２３】
本発明の実施例に係る第４の態様によると、運転データ調節装置を提供する。
【００２４】
当該装置は、
運転データ調節命令が検出されると、送風装置の風速及び風向角度を調節するための、運転データ調節インタフェースを表示するための表示モジュールと、
前記運転データ調節インタフェース上のユーザの操作に基づいて、第１運転データを取得して、前記送風装置が前記第１運転データに従って送風するようにするための取得モジュールと
を備える。
【００２５】
第４の態様を基に、第４の態様の第１の実現可能な方式において、
前記取得モジュールは、
前記運転データ調節インタフェースに、時間を示す横座標軸、運転データを示す縦座標軸、及び、履歴時間帯の運転データの変化情況を示すための第１曲線を含む運転データ座標軸を表示するための表示ユニットと、
前記第１曲線に対するユーザのスライド操作が検出されると、前記スライド操作に基づいて前記第１曲線の軌跡を修正するための修正ユニットと、
修正後の第１曲線軌跡に基づいて、第１運転データを取得するための取得ユニットと
を備える。
【００２６】
第４の態様の第１の実現可能な方式を基に、第４の態様の第２の実現可能な方式において、
前記取得モジュールは、
前記履歴時間帯の前記送風装置の運転データを取得するための取得ユニットと、
前記履歴時間帯の運転データに基づいて、前記運転データ座標軸内に、運転データ変化情況を示すための第１曲線を製図するための製図ユニットと
をさらに備える。
【００２７】
第４の態様を基に、第４の態様の第３の実現可能な方式において、
前記取得モジュールは、前記運転データ調節インタフェースに、時間を示す横座標軸、及び、運転データを示す縦座標軸を含む運転データ座標軸を表示し、前記運転データ座標軸内のユーザのスライド操作が検出されると、前記スライド操作に基づいて、前記運転データ座標軸内に、未来時間帯の運転データの変化情況を示すための第２曲線を製図し、前記第２曲線の曲線軌跡に基づいて、第１運転データを取得する。
【００２８】
第４の態様を基に、第４の態様の第４の実現可能な方式において、
前記取得モジュールは、前記送風装置の現在の第２運転データを取得し、前記運転データ調節インタフェースに前記第２運転データを表示し、前記第２運転データに対するユーザの修正操作が検出されると、前記第２運転データを修正して得られた第１運転データを取得する。
【００２９】
本発明の実施例に係る第５の態様によると、端末を提供する。
【００３０】
当該端末は、
プロセッサと、
前記プロセッサが実行可能な命令を記憶するためのメモリと
を備え、
前記プロセッサは、
各テーマパックはそれぞれ予め編集された運転データを含み、テーマパックリストは少なくとも一つのテーマパックの紹介情報を含み、テーマパックリスト表示命令が検出されると、アプリケーションインタフェースに前記テーマパックリストを表示し、
前記テーマパックリスト上のユーザの選択命令が検出されると、前記選択命令に基づいて前記ユーザが選択したテーマパックを特定し、
前記テーマパック中の運転データを取得して、送風装置が、少なくとも風速及び風向角度が含まれた前記運転データに従って送風するようにする
ように構成される。
【００３１】
本発明の実施例に係る第６の態様によると、端末を提供する。
【００３２】
当該端末は、
プロセッサと、
前記プロセッサが実行可能な命令を記憶するためのメモリと
を備え、
前記プロセッサは、
運転データ調節命令が検出されると、送風装置の風速及び風向角度を調節するための、運転データ調節インタフェースを表示し、
前記運転データ調節インタフェース上のユーザの操作に基づいて、第１運転データを取得して、前記送風装置が前記第１運転データに従って送風するようにする
ように構成される。
【００３３】
本発明の実施例の第７の態様によると、プログラムを提供し、当該プログラムは、プロセッサに実行されることにより、上記の運転データ調節方法を実現する。
【００３４】
本発明の実施例の第８の態様によると、記録媒体を提供し、当該記録媒体には、上記プログラムが記録されている。
【発明の効果】
【００３５】
本発明の実施例が提供する構成の有益な効果は以下のとおりである。
【００３６】
アプリケーションインタフェースにテーマパックリストを表示して、テーマパックリスト上のユーザの選択命令が検出されると、選択命令に基づいてユーザが選択したテーマパックを特定し、テーマパック中の運転データを取得することにより、送風装置が運転データに従って送風するようにする。ユーザにより互いに異なる種類のテーマパックを選択して、送風装置が、互いに異なるテーマパックに従って運転データを調節して、該当する送風方式に従って送風するようにすることにより、送風方式がより多くなり、且つ、ユーザの要求に従って送風することができる。このため、運転データを調節する時に対応される送風効果が良くなる。
【００３７】
以上の統括な記述と以下の細部記述は、ただ例示的なものであり、本発明を制限するものではないと、理解するべきである。
【図面の簡単な説明】
【００３８】
ここでの図面は、明細書に合併されて本明細書の一部を構成して本発明に合致する実施例を示し、明細書とともに本発明の原理を説明するのに用いられる。
【図１】例示的な一実施例に係る運転データ調節方法を示すフローチャートである。
【図２】例示的な一実施例に係る運転データ調節方法を示すフローチャートである。
【図３】例示的な一実施例に係る運転データ調節方法を示すフローチャートである。
【図４】例示的な一実施例に係るテーマパックリストを示す模式図である。
【図５】例示的な一実施例に係るテーマパック下運転データを示す模式図である。
【図６】例示的な一実施例に係る運転データ調節方法を示すフローチャートである。
【図７】例示的な一実施例に係る運転データ調節インタフェースを示す模式図である。
【図８】例示的な一実施例に係る運転データ調節インタフェースを示す模式図である。
【図９】例示的な一実施例に係る運転データ調節インタフェースを示す模式図である。
【図１０】例示的な一実施例に係る運転データ調節装置の構成を示す模式図である。
【図１１】例示的な一実施例に係る運転データ調節装置の構成を示す模式図である。
【図１２】例示的な一実施例に係る運転データ調節装置の構成を示す模式図である。
【図１３】例示的な一実施例に係る調節モジュールの構成を示す模式図である。
【図１４】例示的な一実施例に係る運転データ調節装置の構成を示す模式図である。
【図１５】例示的な一実施例に係る取得モジュールの構成を示す模式図である。
【図１６】例示的な一実施例に係る取得モジュールの構成を示す模式図である。
【図１７】例示的な一実施例に係る端末を示すブロック図である。
【発明を実施するための形態】
【００３９】
ここで、例示的な実施例を詳細に説明する。また、説明中の例は、図面に示している。以下の記述において、図面を説明する際に特に説明しない場合、互いに異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００４０】
図１は、例示的な一実施例に係る運転データ調節方法を示すフローチャートである。当該運転データ調節方法は、端末に用いられる。図１に示すように、当該運転データ調節方法は、以下のステップを含む。
【００４１】
ステップ１０１において、テーマパックリストは、少なくとも一つのテーマパックの紹介情報を含み、各テーマパックはそれぞれ予め編集された運転データを含み、テーマパックリスト表示命令が検出されると、アプリケーションインタフェースにテーマパックリストを表示する。
【００４２】
ステップ１０２において、テーマパックリスト上のユーザの選択命令が検出されると、選択命令に基づいてユーザが選択したテーマパックを特定する。
【００４３】
ステップ１０３において、テーマパック中の運転データを取得して、送風装置が、少なくとも風速及び風向角度が含まれた運転データに従って送風するようにする。
【００４４】
本発明の実施例によって提供する方法によると、アプリケーションインタフェースにテーマパックリストを表示して、テーマパックリスト上のユーザの選択命令が検出されると、選択命令に基づいてユーザが選択したテーマパックを特定し、テーマパック中の運転データを取得することにより、送風装置が運転データに従って送風するようにする。ユーザにより互いに異なる種類のテーマパックを選択して、送風装置が、互いに異なるテーマパックに従って運転データを調節して、該当する送風方式に従って送風するようにすることにより、送風方式がより多くなり、且つ、ユーザの要求に従って送風することができる。このため、運転データを調節する時に対応される送風効果が良くなる。
【００４５】
オプションの一実施例において、アプリケーションインタフェースにテーマパックリストを表示する前に、
互いに異なる種類のテーマパック及び対応される紹介情報をダウンロードするステップと、
ダウンロードした各テーマパックの紹介情報に基づいて、テーマパックリストを生成するステップと
をさらに含む。 
【００４６】
オプションの一実施例において、テーマパックリスト上のユーザの選択命令が検出されると、選択命令に基づいてユーザが選択したテーマパックを特定した後に、当該方法は、
ユーザが選択したテーマパックに対応される地域情報を取得するステップと、
地域情報に基づいて、送風装置の少なくとも温度調節装置を含む補助装置を調節するステップと
をさらに含む。
【００４７】
オプションの一実施例において、地域情報に基づいて、補助装置を調節するステップは、
地域情報に対応される地域の少なくとも温度値を含む現在の天気情報を取得するステップと、
天気情報に基づいて、補助装置を調節するステップと
を含む。
【００４８】
オプションの一実施例において、地域情報に基づいて、送風装置の補助装置を調節するステップは、
補助装置が温度調節装置であると、温度調節装置に天気情報中の温度値を送信して、温度調節装置が温度値に基づいて温度を調節するようにするステップと、
補助装置が酸素生成装置であると、酸素生成装置に天気情報中の酸素濃度値を送信して、酸素生成装置が酸素濃度値に基づいて酸素濃度を調節するようにするステップと
を含む。
【００４９】
上記の全てのオプションの構成は、任意に結合されて、本発明のオプションの実施例を構成することができ、ここでは、詳細に説明しない。
【００５０】
図２は、例示的な一実施例に係る運転データ調節方法を示すフローチャートである。当該運転データ調節方法は、端末に用いられる。図２に示すように、当該運転データ調節方法は、以下のステップを含む。
【００５１】
ステップ２０１において、運転データ調節命令が検出されると、送風装置の風速及び風向角度を調節するための運転データ調節インタフェースを表示する。
【００５２】
ステップ２０２において、運転データ調節インタフェース上のユーザの操作に基づいて、第１運転データを取得して、送風装置が第１運転データに従って送風するようにする。
【００５３】
本発明の実施例によって提供する方法によると、運転データ調節インタフェースを表示して、運転データ調節インタフェース上のユーザの操作に基づいて、第１運転データを取得することにより、送風装置が第１運転データに従って送風するようにする。ユーザにより運転データ調節インタフェース上で運転データを調節して、送風装置が調節後の運転データに従って該当する送風方式に従って送風することができて、送風方式がより多くなり、且つ、ユーザの要求に従って送風することができる。このため、運転データを調節する時に対応される送風効果が良くなる。
【００５４】
オプションの一実施例において、運転データ調節インタフェース上のユーザの操作に基づいて、第１運転データを取得するステップは、
運転データ調節インタフェースに、時間を示す横座標軸、運転データを示す縦座標軸、及び、履歴時間帯の運転データの変化情況を示すための第１曲線を含む運転データ座標軸を表示するステップと、
第１曲線に対するユーザのスライド操作が検出されると、スライド操作に基づいて第１曲線の軌跡を修正するステップと、
修正後の第１曲線軌跡に基づいて、第１運転データを取得するステップと
を含む。
【００５５】
オプションの一実施例において、運転データ調節インタフェースに運転データ座標軸を表示する前に、
履歴時間帯の送風装置の運転データを取得するステップと、
履歴時間帯の運転データに基づいて、運転データ座標軸内に運転データ変化情況を示すための第１曲線を製図するステップと
をさらに含む。
【００５６】
オプションの一実施例において、運転データ調節インタフェース上のユーザの操作に基づいて、第１運転データを取得するステップは、
運転データ調節インタフェースに、時間を示す横座標軸、及び、運転データを示す縦座標軸を含む運転データ座標軸を表示するステップと、
運転データ座標軸内のユーザのスライド操作が検出されると、スライド操作に基づいて、運転データ座標軸内に、未来時間帯の運転データの変化情況を示すための第２曲線を製図するステップと、
第２曲線の曲線軌跡に基づいて、第１運転データを取得するステップと
を含む。
【００５７】
オプションの一実施例において、運転データ調節インタフェース上のユーザの操作に基づいて、第１運転データを取得するステップは、
送風装置の現在の第２運転データを取得するステップと、
運転データ調節インタフェースに第２運転データを表示するステップと、
第２運転データに対するユーザの修正操作が検出されると、第２運転データを修正して得られた第１運転データを取得するステップと
を含む。
【００５８】
上記の全てのオプションの構成は、任意に結合されて、本発明のオプションの実施例を構成することができ、ここでは、詳細に説明しない。
【００５９】
図３は、例示的な一実施例に係る運転データ調節方法を示すフローチャートである。図３に示すように、当該運転データ調節方法は、端末に用いられ、以下のステップを含む。
【００６０】
ステップ３０１において、各テーマパックはそれぞれ予め編集された運転データを含み、運転データは少なくとも風速及び風向角度を含み、互いに異なる種類のテーマパック及び対応される紹介情報をダウンロードする。
【００６１】
ここで、運転データは、送風装置の風速、風向角度、等であってもよく、本実施例では、運転データの内容に対して具体的に限定しない。テーマパックの種類は、互いに異なる地域の気候によって分類してもよく、本実施例ではテーマパックの分類方法に対して具体的に限定しない。例えば、テーマパックを、互いに異なる地域の気候によって、「モルディブ風」テーマパック、「シベリア風」テーマパック、「スリランカ風」テーマパック及び「北極の風」テーマパック等に分類してもよい。互いに異なる地域の気候が異なるため、互いに異なる地域風がユーザに与える体験も互いに異なる。上記の内容に基づいて、互いに異なる種類のテーマパックは、該当する地域の風の関連パラメータである予め編集された運転データを含み、送風装置は、テーマパック中の運転データに従って送風する。即ち、互いに異なる地域の風を模倣し出して、ユーザが室内においても互いに異なる地域の風を体験するようにすることができる。
【００６２】
また、互いに異なる種類のテーマパック及び対応される紹介情報をダウンロードする時には、端末上の送風装置に関連する予め設置したＡＰＰを利用して自動的にダウンロードしてもよいし、ユーザにより予め設置したＡＰＰを利用して手動にダウンロードしてもよく、本実施例では互いに異なる種類のテーマパックをダウンロードする方法に対して具体的に限定しない。
【００６３】
端末はサーバからテーマパックをダウンロードしてもよく、サーバに保存されたテーマパックは、関連スタッフがアップロードしたものであってもよいし、ユーザにより作成して予め設置したＡＰＰを利用してアップロードしたものであってもよく、本実施例ではサーバ中のテーマパックのソースに対して具体的に限定しないことを説明する必要がある。テーマパックがユーザにより作成してサーバにアップロードしたものである場合、ユーザは、自身の好みによって互いに異なる種類のテーマパックを作成して、予め設置したＡＰＰを利用してサーバにアップロードしてもよい。サーバは端末からアップロードしたテーマパックを受信した後に、テーマパックを保存してもよい。サーバは、他のユーザが予め設置したＡＰＰにログインすると、テーマパックをダウンロードするためのオンラインストアを提供してもよい。他のユーザは、オンラインストアでユーザが作成したテーマパックをダウンロードすることができて、互いに異なるユーザの間のテーマパックの共有を実現できる。
【００６４】
ステップ３０２において、ダウンロードした各テーマパックの紹介情報に基づいて、少なくとも一つのテーマパックの紹介情報を含むテーマパックリストを生成する。
【００６５】
テーマパックリスト中の各項目の内容は、ダウンロードした各テーマパックの紹介情報、及び、各テーマパックをダウンロードするためのインタフェース・インタラクティブ要素を含んでもよく、本実施例ではテーマパックリスト中に含まれた内容に対して具体的に限定しない。ここで、テーマパックリスト中には、少なくとも一つのテーマパックの紹介情報が含まれてもよいし、ユーザは各テーマパックのインタフェース・インタラクティブ要素をクリックして互いに異なるテーマパックをダウンロードしてもよく、本実施例ではこれらに対して具体的に限定しない。例えば、図４に示すように、テーマパックリスト中には、三つの既にダウンロードしたテーマパックの紹介情報が含まれており、各テーマパックの右側にはダウンロードボタンが設置されており、ユーザは当該ダウンロードボタンをクリックして当該テーマパックをダウンロードすることができる。
【００６６】
ステップ３０３において、テーマパックリスト表示命令が検出されると、アプリケーションインタフェースにテーマパックリストを表示する。
【００６７】
ユーザは、テーマパックを選択しようとする時に、予め設置したＡＰＰを利用してテーマパックリスト表示命令を入力してもよい。端末は、テーマパックリスト表示命令が検出されると、アプリケーションインタフェースにテーマパックリストを表示してもよい。
【００６８】
ステップ３０４において、テーマパックリスト上のユーザの選択命令が検出されると、選択命令に基づいてユーザが選択したテーマパックを特定する。
【００６９】
ユーザは、アプリケーションインタフェースにテーマパックリストを表示された後に、需要によってテーマパックリストからテーマパックを選択してもよい。本ステップにてユーザが選択したテーマパックは、主に、続けるステップ中にて送風装置の送風方式を調節するために用いられるが、さらに、互いに異なる地域風の体験を模倣する際に、ユーザに互いに異なる送風方式が与える触覚を提供するほか、ユーザに例えば他の外部感覚である聴覚、視覚、等も提供できる。このため、送風装置のほか、他の補助装置を利用してユーザに他の感覚を与えて、ユーザにより良い風の体験を与えることができる。
【００７０】
上記の内容によって、本実施例は、テーマパックリスト上のユーザの選択命令が検出されると、選択命令に基づいてユーザが選択したテーマパックを特定するステップの後に、さらに、一種の補助装置の調節方法を提供した。当該方法は、ユーザが選択したテーマパックに対応される地域情報を取得するステップと、地域情報に基づいて、送風装置の補助装置を調節するステップとを含むが、これに限定されない。ここで、地域情報は、経度と緯度の座標情報であってもよく、本実施例ではこれらに対して具体的に限定しない。補助装置は、温度調節装置、音響装置及び動画再生装置を含んでもよいが、本実施例では補助装置の種類に対して具体的に限定しない。以上の補助装置によって、ユーザにそれぞれホットとコールド、聴覚、視覚上の体験を与えて、ユーザが互いに異なる地域の気候環境をよりよく体験できるようにする。
【００７１】
地域情報に基づいて、補助装置を調節する際に、地域情報に対応される地域の現在の天気情報を取得して、天気情報に基づいて、補助装置を調節してもよい。ここで、天気情報は、温度値、天気種類、等を含んでもよく、本実施例では天気情報の内容に対して具体的に限定しない。
【００７２】
補助装置が複数の種類があるため、天気情報に基づいて補助装置を調節する際に、互いに異なる補助装置は互いに異なる調節方式に対応される。ここで、補助装置が温度調節装置であると、温度調節装置に天気情報中の温度値を送信して、温度調節装置が温度値に基づいて温度を調節するようにし、補助装置が酸素生成装置であると、酸素生成装置に天気情報中の酸素濃度値を送信して、酸素生成装置が酸素濃度値に基づいて酸素濃度を調節するようにする。当然ながら、上記の調節方式のほか、他の補助装置に対して該当する調節方式があってもよく、本実施例ではこれらに対して具体的に限定しない。
【００７３】
例えば、端末は、ユーザが選択したテーマパックが「モルディブ風」テーマパックであると、例えば「モルディブ風」テーマパックに対応される地域情報であるモルディブの経度と緯度の座標情報を取得してもよい。端末は、モルディブの経度と緯度の座標情報に基づいて、ネットワークを介してモルディブの現在の天気情報を検索できる。天気情報が温度値であり、補助装置が温度調節装置である例を挙げると、温度値に基づいて温度調節装置を調節して、室内の温度をモルディブの温度に調節してもよい。また、モルディブがインド洋上の一つの島国であるため、補助装置中の動画再生装置を利用してビーチの美しい風景の動画を再生し、音響装置を利用して海風の音を再生し、酸素生成装置を利用して室内酸素濃度をモルディブの酸素濃度に調節することにより、ユーザがモルディブの風情を体験するようにすることができる。
【００７４】
ステップ３０５において、テーマパック中の運転データを取得して、送風装置が運転データに従って送風するようにする。
【００７５】
端末は、テーマパック中の運転データを取得した後に、送風装置にテーマパック中の運転データを送信してもよい。送風装置は、運転データを受信した後、運転データに従って送風することができる。ここで、送風装置は、ＷｉＦｉ（ＷｉｒｅｌｅｓｓＦｉｄｅｌｉｔｙ、ワイヤレス・フィディリティー）モジュールを含んで、当該ＷｉＦｉを利用して端末が送信する運転データを受信してもよく、本実施例ではこれらに対して具体的に限定しない。
【００７６】
また、送風装置は、運転データに従って送風した後に、ユーザが送風装置の現在の運転情況を了解するように、さらに、アプリケーションインタフェース中に現在に送風装置が使用するテーマ及び該当する運転データを表示してもよく、本実施例ではこれらに対して具体的に限定しない。例えば、図５に示すように、アプリケーションインタフェースに、送風装置が「モルディブ風」テーマの運転データを使用していることを表示されている。
【００７７】
本発明の実施例によって提供する方法によると、アプリケーションインタフェースにテーマパックリストを表示して、テーマパックリスト上のユーザの選択命令が検出されると、選択命令に基づいてユーザが選択したテーマパックを特定し、テーマパック中の運転データを取得することにより、送風装置が運転データに従って送風するようにする。ユーザにより互いに異なる種類のテーマパックを選択して、送風装置が、互いに異なるテーマパックに従って運転データを調節して、該当する送風方式に従って送風するようにすることにより、送風方式がより多くなり、且つ、ユーザの要求に従って送風することができる。このため、運転データを調節する時に対応される送風効果が良くなる。
【００７８】
また、送風装置により互いに異なる送風方式に従って送風するほか、補助装置を利用してユーザに互いに異なる感覚体験も与えることができ、ユーザが受風する際のユーザ体験を改善した。
【００７９】
図６は、例示的な一実施例に係る運転データ調節方法を示すフローチャートである。図６に示すように、当該運転データ調節方法は、端末に用いられ、以下のステップを含む。
【００８０】
ステップ６０１において、運転データ調節命令が検出されると、送風装置の風速及び風向角度を調節するための運転データ調節インタフェースを表示する。
【００８１】
ユーザは、送風装置に関連するＡＰＰにログインした後に、運転データ調節命令を入力しても良い。端末は、運転データ調節命令が検出された後に、運転データ調節インタフェースを表示してもよい。例えば、運転データ調節インタフェースは、図７に示したようであり、運転データを入力するための入力ボックスを含んでもよい。
【００８２】
ステップ６０２において、送風装置の現在の第２運転データを取得する。
【００８３】
端末は、送風装置に運転データ要求命令を送信してもよい。送風装置は、端末が送信した運転データ要求命令を受信した後に、端末に現在の第２運転データを返信することにより、端末が送風装置の現在の第２運転データを取得するようにしてもよい。ここで、第２運転データは、送風装置の現在の風速及び風向角度を含んでもよく、本実施例ではこれらに対して具体的に限定しない。
【００８４】
ステップ６０３において、運転データ調節インタフェースに第２運転データを表示する。
【００８５】
第２運転データを取得した後に、運転データ調節インタフェースに第２運転データを表示してもよい。例えば、図７に示すように、各入力ボックスに、それぞれ、該当する現在の運転データを表示する。ここで、風速は、５ｍ／ｓ、風向角度は、６０度である。
【００８６】
ステップ６０４において、第２運転データに対するユーザの修正操作が検出されると、第２運転データを修正して得られた第１運転データを取得して、送風装置が第１運転データに従って送風するようにする。
【００８７】
ユーザは、運転データ調節インタフェースに第２運転データが表示された後に、自分の需要によって、運転データ調節インタフェースにおいて第２運転データを修正してもよい。端末は、第２運転データに対するユーザの修正操作が検出されると、ユーザが第２運転データを修正して得られた第１運転データを取得する。端末は、第１運転データを送風装置に送信し、送風装置は第１運転データを受信した後に、第１運転データに従って送風する。ここで、送風装置中にＷｉＦｉモジュールを設置して、当該ＷｉＦｉモジュールを利用して端末が送信する運転データを受信してもよく、本実施例ではこれらに対して具体的に限定しない。
【００８８】
上記のステップ６０２乃至ステップ６０４は、端末により運転データ調節インタフェース上のユーザの操作に基づいて第１運転データを取得する過程であり、上記のユーザにより送風装置の現在の第２運転データを修正して第１運転データを取得する方法の以外に、本実施例は、さらに、以下のような二種の第１運転データを取得する方法を提供することを説明する必要がある。
【００８９】
第１の取得方法において、運転データ調節インタフェースに、時間を示す横座標軸、運転データを示す縦座標軸、及び、履歴時間帯の運転データの変化情況を示すための第１曲線を含む運転データ座標軸を表示して、第１曲線に対するユーザのスライド操作が検出されると、スライド操作に基づいて第１曲線の軌跡を修正し、修正後の第１曲線軌跡に基づいて、第１運転データを取得する。
【００９０】
第１曲線が示すのは履歴時間帯の運転データの変化情況であるため、第１曲線を得るために、運転データ調節インタフェースに運転データ座標軸を表示する前に、さらに、履歴時間帯の送風装置の運転データを取得して、履歴時間帯の運転データに基づいて、運転データ座標軸内に運転データ変化情況を示すための第１曲線を製図する。ここで、履歴時間帯の長さは、需要によって、例えば、３０分、１時間、等に設定してもよく、本実施例ではこれらに対して具体的に限定しない。また、運転データは複数の種類があるため、運転データ座標軸もこれに対応して複数の種類があり、端末は、各種の運転データ座標軸に、各種の運転データに対応される第１曲線を製図することができる。
【００９１】
運転データは複数の種類があるため、運転データ調節インタフェースに運転データ座標軸を表示する前に、ユーザは、さらに、需要によって表示命令を入力することにより、表示しようとする運転データ座標軸を特定してもよく、本実施例ではこれらに対して具体的に限定しないことを説明する必要がある。ここで、ユーザは、表示命令を入力することにより、互いに異なる運転データ座標軸を切り替えても良い。
【００９２】
例えば、ユーザが風速座標軸を表示するための表示命令を入力したら、運転データ調節インタフェースに風速座標軸を表示してもよい。図８に示したように。ここで、風速座標軸の横座標軸は履歴時間帯内のタイミングを示し、縦座標軸は各タイミングでの風速を示す。
【００９３】
ここで、運転データ調節インタフェースに風速座標軸を表示する前に、さらに、履歴時間帯の送風装置の風速を取得して、履歴時間帯の風速に基づいて、運転データ座標軸内に、履歴時間帯の風速変化情況を示すための第１曲線を製図してもよい。図８において、履歴時間帯の長さは３０分であると、図８中の第１曲線が表示するのはこの前の３０分間内の風速の変化情況を示す。
【００９４】
ユーザは、風速座標軸が表示された後に、風速座標軸中の第１曲線をスライドして、第１曲線の軌跡を修正してもよい。ここで、軌跡を修正した後の第１曲線は、未来３０分内の風速変化情況を示す。ユーザが入力した修正確認の命令が検出された後に、修正後の第１曲線軌跡に基づいて、未来３０分内の第１運転データを取得できる。
【００９５】
当然ながら、上記の過程は、風速を取得する過程のみを説明した。運転データは、風速のほか、風向角度等であってもよいため、風向角度を取得する必要があると、上記の過程を参考して、未来の一時間段内の風向角度を取得してもよい。
【００９６】
第２の取得方法において、運転データ調節インタフェースに、時間を示す横座標軸、及び、運転データを示す縦座標軸を含む運転データ座標軸を表示して、運転データ座標軸内のユーザのスライド操作が検出されると、スライド操作に基づいて、運転データ座標軸内に、未来時間帯の運転データの変化情況を示すための第２曲線を製図して、第２曲線の曲線軌跡に基づいて、第１運転データを取得してもよい。
【００９７】
運転データは複数の種類があるため、運転データ調節インタフェースに運転データ座標軸を表示する前に、ユーザは、さらに、需要によって表示命令を入力することにより、表示しようとする運転データ座標軸を特定してもよく、本実施例ではこれらに対して具体的に限定しないことを説明する必要がある。ここで、ユーザは、表示命令を入力することにより、互いに異なる運転データ座標軸を切り替えても良い。
【００９８】
ユーザは、運転データ調節インタフェースに運転データ座標軸が表示された後に、運転データ座標軸内にてスライドさせ、端末は、スライド操作に基づいて、運転データ座標軸内に、未来の一時間帯の運転データの変化情況を示すための第２曲線を製図してもよい。第２曲線の曲線軌跡に基づいて、未来の一段時間内の第１運転データを取得してもよい。
【００９９】
例えば、図９に示したように、ユーザが風速座標軸を表示するための表示命令を入力すれば、運転データ調節インタフェースに風速座標軸を表示してもよい。ここで、風速座標軸の横座標軸は、履歴時間帯のタイミングを示し、縦座標軸は、各タイミングの風速を示す。
【０１００】
ユーザは、風速座標軸が表示された後に、風速座標軸内でスライドして、第２曲線を製図してもよい。未来の時間帯の長さが３０分間の例を挙げると、第２曲線の曲線軌跡に基づいて、未来の３０分内の風速を取得してもよい。
【０１０１】
当然ながら、上記の過程は、風速を取得する過程のみを説明した。運転データは、風速のほか、風向角度等であってもよいため、風向角度を取得する必要があると、上記の過程を参考して、未来の一時間段内の風向角度を取得してもよい。
【０１０２】
上記の二種の取得方式によって第１運転データを取得した後に、送風装置に第１運転データを送信して、送風装置が第１運転データに従って送風するようにしてもよいことを説明する必要がある。
【０１０３】
本発明の実施例によって提供する方法によると、運転データ調節インタフェースを表示して、運転データ調節インタフェース上のユーザの操作に基づいて、第１運転データを取得することにより、送風装置が第１運転データに従って送風するようにする。ユーザにより運転データ調節インタフェース上で運転データを調節して、送風装置が調節後の運転データに従って該当する送風方式に従って送風することができて、送風方式がより多くなり、且つ、ユーザの要求に従って送風することができる。このため、運転データを調節する時に対応される送風効果が良くなる。
【０１０４】
図１０は、例示的な一実施例に係る運転データ調節装置の構成を示す模式図である、当該運転データ調節装置は、端末に用いられる。図１０を参照すると、当該装置は、表示モジュール１００１、特定モジュール１００２及び第１取得モジュール１００３を備える。
【０１０５】
当該表示モジュール１００１は、テーマパックリストは、少なくとも一つのテーマパックの紹介情報を含み、各テーマパックはそれぞれ予め編集された運転データを含み、テーマパックリスト表示命令が検出されると、アプリケーションインタフェースにテーマパックリストを表示する。
【０１０６】
当該特定モジュール１００２は、テーマパックリスト上のユーザの選択命令が検出されると、選択命令に基づいてユーザが選択したテーマパックを特定する。
【０１０７】
当該第１取得モジュール１００３は、テーマパック中の運転データを取得して、送風装置が、少なくとも風速及び風向角度が含まれた運転データに従って送風するようにする。
【０１０８】
一実施例において、図１１を参照すると、当該装置は、ダウンロードモジュール１００４及び生成モジュール１００５をさらに備える。
【０１０９】
当該ダウンロードモジュール１００４は、互いに異なる種類のテーマパック及び対応される紹介情報をダウンロードする。
【０１１０】
当該生成モジュール１００５は、ダウンロードした各テーマパックの紹介情報に基づいて、テーマパックリストを生成する。
【０１１１】
一実施例において、図１２を参照すると、当該装置は、第２取得モジュール１００６及び調節モジュール１００７をさらに備える。
【０１１２】
当該第２取得モジュール１００６は、ユーザが選択したテーマパックに対応される地域情報を取得する。
【０１１３】
当該調節モジュール１００７は、地域情報に基づいて、送風装置の少なくとも温度調節装置を含む補助装置を調節する。
【０１１４】
一実施例において、図１３を参照すると、当該調節モジュール１００７は、取得ユニット１００７１及び調節ユニット１００７２を備える。
【０１１５】
当該取得ユニット１００７１は、地域情報に対応される地域の少なくとも温度値を含む現在の天気情報を取得する。
【０１１６】
当該調節ユニット１００７２は、天気情報に基づいて、補助装置を調節する。
【０１１７】
一実施例において、当該調節ユニット１００７２、は、補助装置が温度調節装置であると、温度調節装置に天気情報中の温度値を送信して、温度調節装置が温度値に基づいて温度を調節するようにし、補助装置が酸素生成装置であると、酸素生成装置に天気情報中の酸素濃度値を送信して、酸素生成装置が酸素濃度値に基づいて酸素濃度を調節するようにする。
【０１１８】
本発明の実施例によって提供する装置によると、アプリケーションインタフェースにテーマパックリストを表示して、テーマパックリスト上のユーザの選択命令が検出されると、選択命令に基づいてユーザが選択したテーマパックを特定し、テーマパック中の運転データを取得することにより、送風装置が運転データに従って送風するようにする。ユーザにより互いに異なる種類のテーマパックを選択して、送風装置が、互いに異なるテーマパックに従って運転データを調節して、該当する送風方式に従って送風するようにすることにより、送風方式がより多くなり、且つ、ユーザの要求に従って送風することができる。このため、運転データを調節する時に対応される送風効果が良くなる。
【０１１９】
図１４は、例示的な一実施例に係る運転データ調節装置の構成を示す模式図である、当該運転データ調節装置は、端末に用いられる。図１４を参照すると、当該装置は、表示モジュール１４０１及び取得モジュール１４０２を備える。
【０１２０】
当該表示モジュール１４０１は、運転データ調節命令が検出されると、送風装置の風速及び風向角度を調節するための運転データ調節インタフェースを表示する。
【０１２１】
当該取得モジュール１４０２は、運転データ調節インタフェース上のユーザの操作に基づいて、第１運転データを取得して、送風装置が第１運転データに従って送風するようにする。
【０１２２】
一実施例において、図１５を参照すると、当該取得モジュール１４０２は、表示ユニット１４０２１、修正ユニット１４０２２及び取得ユニット１４０２３を備える。
【０１２３】
当該表示ユニット１４０２１は、運転データ調節インタフェースに、時間を示す横座標軸、運転データを示す縦座標軸、及び、履歴時間帯の運転データの変化情況を示すための第１曲線を含む運転データ座標軸を表示する。
【０１２４】
当該修正ユニット１４０２２は、第１曲線に対するユーザのスライド操作が検出されると、スライド操作に基づいて第１曲線の軌跡を修正する。
【０１２５】
当該取得ユニット１４０２３は、修正後の第１曲線軌跡に基づいて、第１運転データを取得する。
【０１２６】
一実施例において、図１６を参照すると、当該取得モジュール１４０２は、取得ユニット１４０２４及び製図ユニット１４０２５をさらに備える。
【０１２７】
当該取得ユニット１４０２４は、履歴時間帯の送風装置の運転データを取得する。
【０１２８】
当該製図ユニット１４０２５は、履歴時間帯の運転データに基づいて、運転データ座標軸内に運転データ変化情況を示すための第１曲線を製図する。
【０１２９】
一実施例において、当該取得モジュール１４０２は、運転データ調節インタフェースに、時間を示す横座標軸、及び、運転データを示す縦座標軸を含む運転データ座標軸を表示し、運転データ座標軸内のユーザのスライド操作が検出されると、スライド操作に基づいて、運転データ座標軸内に、未来時間帯の運転データの変化情況を示すための第２曲線を製図して、第２曲線の曲線軌跡に基づいて、第１運転データを取得する。
【０１３０】
一実施例において、当該取得モジュール１４０２は、送風装置の現在の第２運転データを取得し、運転データ調節インタフェースに第２運転データを表示して、第２運転データに対するユーザの修正操作が検出されると、第２運転データを修正して得られた第１運転データを取得する。
【０１３１】
本発明の実施例によって提供する装置によると、運転データ調節インタフェースを表示して、運転データ調節インタフェース上のユーザの操作に基づいて、第１運転データを取得することにより、送風装置が第１運転データに従って送風するようにする。ユーザにより運転データ調節インタフェース上で運転データを調節して、送風装置が調節後の運転データに従って該当する送風方式に従って送風することができて、送風方式がより多くなり、且つ、ユーザの要求に従って送風することができる。このため、運転データを調節する時に対応される送風効果が良くなる。
【０１３２】
上記の実施例の装置について、その各モジュールが実行する操作の具体的な形態は既に当該方法に関する実施例において詳細に説明したため、ここでは詳細に説明しない。
【０１３３】
図１７は、例示的な一実施例に係る端末１７００を示すブロック図である。例えば、端末１７００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【０１３４】
図１７を参照して、端末１７００は、プロセスアセンブリ１７０２、メモリ１７０４、電源アセンブリ１７０６、マルチメディアアセンブリ１７０８、オーディオアセンブリ１７１０、入出力（Ｉ／Ｏ）インターフェイス１７１２、センサアセンブリ１７１４、及び通信アセンブリ１７１６のような一つ以上のアセンブリを含んでよい。
【０１３５】
プロセスアセンブリ１７０２は、一般的には端末１７００の全体の動作を制御するものであり、例えば、表示、電話呼び出し、データ通信、カメラ動作、及び記録動作と関連する動作を制御する。プロセスアセンブリ１７０２は、一つ以上のプロセッサ１７２０を含み、これらによって命令を実行することにより、上記の方法の全部、或は一部のステップを実現するようにしてもよい。なお、プロセスアセンブリ１７０２は、一つ以上のモジュールを含み、これらによってプロセスアセンブリ１７０２と他のアセンブリの間のインタラクションを容易にするようにしてもよい。例えば、プロセスアセンブリ１７０２は、マルチメディアモジュールを含み、これらによってマルチメディアアセンブリ１７０８とプロセスアセンブリ１７０２の間のインタラクションを容易にするようにしてもよい。
【０１３６】
メモリ１７０４は、各種類のデータを記憶することにより端末１７００の動作を支援するように構成される。これらのデータの例は、端末１７００において動作するいずれのアプリケーションプログラム又は方法の命令、連絡対象データ、電話帳データ、メッセージ、画像、ビデオ等を含む。メモリ１７０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）ＥＥＰＲＯＭ（ＥｌｅｃｔｒｉｃａｌｌｙＥｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１３７】
電源アセンブリ１７０６は、端末１７００の多様なアセンブリに電力を供給する。電源アセンブリ１７０６は、電源管理システム、一つ以上の電源、及び端末１７００のための電力の生成、管理及び割り当てに関連付けられている他のアセンブリを含んでもよい。
【０１３８】
マルチメディアアセンブリ１７０８は、前記端末１７００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの動作の境界だけでなく、前記のタッチ、或はスワイプ操作に係る継続時間及び圧力も検出できる。上記の実施例において、マルチメディアアセンブリ１７０８は、一つのフロントカメラ、及び／又はリアカメラを含む。端末１７００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１３９】
オーディオアセンブリ１７１０は、オーディオ信号を入出力するように構成されてもよい。例えば、オーディオアセンブリ１７１０は、一つのマイク（ＭＩＣ）を含み、端末１７００が、例えば呼出しモード、記録モード、及び音声認識モード等の動作モードにある場合、マイクは外部のオーディオ信号を受信することができる。受信されたオーディオ信号は、さらにメモリ１７０４に記憶されたり、通信アセンブリ１７１６を介して送信されたりされる。上記の実施例において、オーディオアセンブリ１７１０は、オーディオ信号を出力するための一つのスピーカーをさらに含む。
【０１４０】
Ｉ／Ｏインターフェイス１７１２は、プロセスアセンブリ１７０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１４１】
センサアセンブリ１７１４は、端末１７００に各種の状態に対する評価を提供するための一つ以上のセンサを含む。例えば、センサアセンブリ１７１４は、端末１７００のＯＮ／ＯＦＦ状態、端末１７００のディスプレイとキーパッドのようなアセンブリの相対的な位置決めを検出できる。また、例えば、センサアセンブリ１７１４は、端末１７００、或は端末１７００の一つのアセンブリの位置変更、ユーザと端末１７００とが接触しているか否か、端末１７００の方位、又は加速／減速、端末１７００の温度の変化を検出できる。センサアセンブリ１７１４は、何れの物理的接触がない状態にて付近の物体の存在を検出するための近接センサを含んでもよい。センサアセンブリ１７１４は、撮影アプリケーションに適用するため、ＣＭＯＳ、又はＣＣＤ画像センサのような光センサを含んでもよい。上記の実施例において、当該センサアセンブリ１７１４は、加速度センサ、ジャイロスコープセンサ、磁気センサ、圧力センサ、及び温度センサをさらに含んでもよい。
【０１４２】
通信アセンブリ１７１６は、端末１７００と他の機器の間に有線、又は利便性のよい形態の通信を提供する。端末１７００は、例えばＷｉＦｉ（登録商標）、２Ｇ、３Ｇ、或はこれらの組み合わせのような、通信規格に基づいた無線ネットワークに接続されてもよい。一つの例示的な実施例において、通信アセンブリ１７１６は、放送チャンネルを介して外部の放送管理システムからの放送信号、又は放送に関連する情報を受信する。一つの例示的な実施例において、前記通信アセンブリ１７１６は、近距離無線通信（ＮＦＣ）モジュールをさらに含むことにより、近距離通信を可能にする。例えば、ＮＦＣモジュールは、ＲＦＩＤ（ＲａｄｉｏＦｒｅｑｕｅｎｃｙ ＩＤｅｎｔｉｆｉｃａｔｉｏｎ）技術、ＩｒＤＡ（ＩｎｆｒａｒｅｄＤａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１４３】
例示的な実施例において、端末１７００は、一つ以上のＡＳＩＣ（ＡｐｐｌｉｃａｔｉｏｎＳｐｅｃｉｆｉｃＩｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ ＰｒｏｃｅｓｓｉｎｇＤｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記の図１、図２、図３及び図６に対応される実施例中の任意の一実施例によって提供する運転データ調節方法を実行する。
【０１４４】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１４５】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【国際調査報告】
2017521584.tif 000020
2017521584.tif 000021
2017521584.tif 000022
2017521584.tif 000023